(57)【特許請求の範囲】
【請求項１】
１フレームを複数のサブフレームに分割して階調を表現する表示装置の駆動方法であって、
前記複数のサブフレームは、
重ね合わせ時間階調方式で駆動され、同じ重み付けを有する複数のサブフレームを含む第１のサブフレームグループと、
前記第１のサブフレームグループのサブフレームより小さな重み付けを有する複数のサブフレームを含む第２のサブフレームグループとを有し、
前記第２のサブフレームグループは１フレーム内において隣接して配置されてサブフレーム領域をなし、
階調数の増加によって前記第２のサブフレームグループのサブフレームが全点灯から全非点灯に変わるときは常に、前記第１のサブフレームグループに属するサブフレームのうち前記サブフレーム領域に時間的に隣接するサブフレームが非点灯から点灯に変わるようにするとともに、前記第１のサブフレームグループに属するサブフレームのうち前記非点灯から点灯に変わるサブフレーム以外のサブフレームの点灯・非点灯状態は変わらないようにしたことを特徴とする表示装置の駆動方法。
【請求項２】
１フレームを複数のサブフレームに分割して階調を表現する表示装置の駆動方法であって、
前記複数のサブフレームは、
重ね合わせ時間階調方式で駆動され、同じ重み付けを有する複数のサブフレームを含む第１のサブフレームグループと、
前記第１のサブフレームグループのサブフレームより小さな重み付けを有する複数のサブフレームを含む第２のサブフレームグループとを有し、
階調数の増加によって前記第２のサブフレームグループのサブフレームが全点灯から全非点灯に変わるときは常に、前記第１のサブフレームグループに属するサブフレームのうち前記第２のサブフレームグループに属するサブフレームの中で最も大きい重み付けを有するサブフレームに時間的に隣接するサブフレームが非点灯から点灯に変わるようにするとともに、前記第１のサブフレームグループに属するサブフレームのうち前記非点灯から点灯に変わるサブフレーム以外のサブフレームの点灯・非点灯状態は変わらないようにしたことを特徴とする表示装置の駆動方法。
【請求項３】
前記第２のサブフレームグループの複数のサブフレームを、バイナリーコード時間階調方式で用いることを特徴とする請求項１又は請求項２に記載の表示装置の駆動方法。
【請求項４】
前記第２のサブフレームグループの複数のサブフレームを、重ね合わせ時間階調方式で用いることを特徴とする請求項１に記載の表示装置の駆動方法。
【請求項５】
前記非点灯から点灯に変わるサブフレームは、前記第２のサブフレームグループが全点灯から全非点灯になる階調の次の階調でも点灯することを特徴とする請求項１乃至請求項４のいずれか一項に記載の表示装置の駆動方法。
【請求項６】
請求項１乃至５のいずれか一項において、前記表示装置が有機エレクトロルミネッセンスディスプレイ、無機エレクトロルミネッセンスディスプレイ、プラズマディスプレイ、電界放出ディスプレイ、表面電界ディスプレイ、デジタル・マイクロミラー・デバイスを有するディスプレイ、グレーティングライトバルブを有するディスプレイ、反射型液晶ディスプレイ、強誘電液晶ディスプレイ、または反強誘電液晶ディスプレイであることを特徴とする表示装置の駆動方法。
【発明の詳細な説明】
【技術分野】
【０００１】
本発明は表示装置の駆動方法、特に時間階調方式を用いた表示装置の駆動方法に関する。
【背景技術】
【０００２】
近年、デジタルビデオ信号を用いたアクティブマトリクス型の表示装置の研究開発が盛んに行われている。そのようなアクティブマトリクス型表示装置には、例えば液晶ディスプレイ（ＬＣＤ）のような受光型表示装置と、プラズマディスプレイのような自発光型表示装置とがある。自発光型の表示装置に用いられる発光素子として、有機発光ダイオード（Ｏｒｇａｎｉｃ  Ｌｉｇｈｔ  Ｅｍｉｔｔｉｎｇ  Ｄｉｏｄｅ：ＯＬＥＤ）が注目を集めている。ＯＬＥＤは有機ＥＬ素子、エレクトロルミネッセンス（Ｅｌｅｃｔｒｏ  Ｌｕｍｉｎｅｓｃｅｎｃｅ：ＥＬ）素子などとも言う（ＥＬ素子を用いたディスプレイをＥＬディスプレイと呼ぶ）。ＯＬＥＤなどを用いた自発光型表示装置は、液晶ディスプレイに比べて画素の視認性が高く、バックライトが不要で応答速度が速い等の利点がある。また発光素子の輝度は、そこを流れる電流値によって制御される。
【０００３】
このようなアクティブマトリクス型の表示装置において、デジタルビデオ信号を用いて階調表示を行う方法として、時間階調法を用いることが知られている。
【０００４】
時間階調法とは、発光している期間の長さ、若しくは発光回数を制御することにより、階調を表現する方法である。つまり、１フレーム期間を複数のサブフレーム期間に分割し、各サブフレームに、発光回数や発光時間などの重み付けを行い、重み付けの総量（発光回数の総和、発光時間の総和）を階調ごとに差を付けることによって、階調を表現する。例として、図３４に１フレームを５つのサブフレームＳＦ１〜ＳＦ５に分け、これらサブフレームの点灯期間の比が２０：２１：２２：２３：２４となるように重み付けを行った場合を示す。また、これらサブフレームの点灯／非点灯の選択パターンと階調数の関係を図３５に示す。これらの図からわかるように、サブフレームＳＦ１〜ＳＦ５の点灯／非点灯を制御することで、０〜３１の３２階調の表示ができる（階調数１が階調変化の最小単位を表す）。各サブフレームの点灯／非点灯を指示するのに１ビットが必要であるため、５つのサブフレームＳＦ１〜ＳＦ５を制御するには５ビットのデジタル信号が必要である。一般にＭビットのデジタルビデオ信号を用いて２の累乗数の重み付けを有するＭ個のサブフレームを制御することで、２Ｍ階調（即ち、階調数が０〜２Ｍ−１）の表示を行うことができる。尚、本明細書では、このように異なる重み付けのなされた複数のサブフレームを用いて階調表示を行う時間階調方式をバイナリコード時間階調方式と呼ぶ。また、大きな重みのサブフレーム（例えばＳＦ５）を制御するデジタル信号のビットを上位ビット、小さな重みのサブフレーム（例えばＳＦ１）を制御するデジタル信号のビットを下位ビットと呼ぶ。尚、サブフレームの重み付けは必ずしも２の累乗数とする必要はなく、必ずしも全てのサブフレームが異なる重み付けを有さなくてもよい。あるサブフレームの重み付け（点灯期間、点滅回数）は、それより重み付けの小さな（即ち下位の）サブフレームの重み付けを合計したものに１を加えた値以下であればよい。これにより、階調を全て連続的に表現することができる。例えば、各サブフレームの点灯期間の長さの比を、１：１：２：３とすれば、０から７までの階調を全て連続的に表現できる。
【０００５】
このようなバイナリコード時間階調方式を用いた表示装置では、動画を表示する際に、本来境界を生ずることのない滑らかに階調が変化する部分に偽輪郭（または疑似輪郭とも言う）が知覚されることがある。このような疑似輪郭は、隣接する画素の一方が階調１５で他方が階調１６というように、点灯パターンが大きく異なる画素が隣接する場合に生じ易いことが知られており、様々な対策が提案されている（特許文献１〜特許文献８参照）。
【０００６】
例えば特許文献２では、階調を表す例えば１２ビットのデジタル信号の上位の７ビットでほぼ等しい重み付けの７つのサブフレーム（上位サブフレーム）を制御し、残りの５つの下位ビットで２進法に従った重み付けの複数のサブフレームを制御することが開示されている。このものでは、７つの上位サブフレームは１フレーム期間の中で連続的に配置され、階調の増加に伴って上位サブフレームは順次累積的に点灯される。即ち、小さい階調において点灯している上位サブフレームは、より大きい階調においても点灯している。このような階調方式を重ね合わせ時間階調方式と呼ぶ。
【特許文献１】特許番号２９０３９８４号公報
【特許文献２】特許番号３０７５３３５号公報
【特許文献３】特許番号２６３９３１１号公報
【特許文献４】特許番号３３２２８０９号公報
【特許文献５】特開平１０−３０７５６１号公報
【特許文献６】特許番号３５８５３６９号公報
【特許文献７】特許番号３４８９８８４号公報
【特許文献８】特開２００１−３２４９５８号公報
【発明の開示】
【発明が解決しようとする課題】
【０００７】
上記のように、さまざまな疑似輪郭を低減する方法が提案されているが、疑似輪郭低減の効果は、まだ十分ではない。
【０００８】
例えば、特許文献２に記載の発明を３２階調を表すのに用いた場合の各階調数に対するサブフレームの点灯パターンを図３６に示す。この図において、下位の２つのサブフレームＳＦ１、ＳＦ２は２の累乗数の重み付けを有し（１：２）バイナリコード時間階調方式に用いられ（本明細書ではそのようなサブフレームをバイナリコードサブフレームと呼ぶ）、サブフレームＳＦ３〜ＳＦ９は同じ重み付け（４）を有し重ね合わせ時間階調方式に用いられる。このように重ね合わせ階調方式とバイナリコード階調方式を組み合わせることで、ある程度疑似輪郭を低減することができる。
【０００９】
しかしながら、図３６に記載した従来の表示装置の駆動方法では、重ね合わせ時間階調方式に７つのサブフレームを用い、バイナリコード時間階調方式に２つのサブフレームを用い、トータルで９つのサブフレームを用いており、同じ階調を表すのに５つのサブフレームしか必要としないバイナリコード時間階調方式の場合（図３５）と比べると、大幅にサブフレーム数が増加している。そのため、それを制御するためのデジタル信号のビット数も増え、装置規模の増大、周波数が高くなることによる消費電力の増加といった問題がある。
【００１０】
更に、図３６に記載した従来の表示装置の駆動方法において、１フレームにおけるサブフレームの点灯順序がＳＦ１、ＳＦ２、．．．、ＳＦ９の順であるとする。この場合、例えば、階調数１１ではバイナリコード時間階調方式に用いられるサブフレームＳＦ１及びＳＦ２が両方とも点灯しているのに対し、階調数１２ではサブフレームＳＦ１及びＳＦ２が両方とも非点灯になり、かつ、サブフレームＳＦ１、ＳＦ２から時間的に離れた重ね合わせ時間階調方式に用いられるサブフレームＳＦ５が点灯している。これにより、階調数１１と階調数１２との点灯パターンが大きく異なることとなり、疑似輪郭が発生し易くなっている。
【００１１】
本発明はこのような問題点に鑑み、サブフレーム数の増加を極力抑制しつつ疑似輪郭を低減できる表示装置の駆動方法を提供することを主たる目的とする。
【００１２】
また、本発明の別の目的は、異なる階調方式で駆動される複数のサブフレームグループを有する表示装置において、疑似輪郭発生を低減することが可能な表示装置の駆動方法を提供することである。
【課題を解決するための手段】
【００１３】
上記課題を解決するために、本発明の一側面によると、１フレームを複数のサブフレームに分割して階調を表現する表示装置の駆動方法であって、これら複数のサブフレームは、中程度の重み付けを有し重ね合わせ時間階調方式で用いられる複数の中位サブフレームと、中位サブフレームより大きな重み付けを有しバイナリコード時間階調方式で用いられる少なくとも一つの上位サブフレームと、中位サブフレームより小さな重み付けを有しバイナリコード時間階調方式で用いられる少なくとも一つの下位サブフレームとを有し、各フレームごとに表示装置の各画素に対して中位サブフレーム、上位サブフレーム及び下位サブフレームの各々の点灯又は非点灯を選択することを特徴とする表示装置の駆動方法が提供される。尚、「中程度の重み付け」とは、最小の重み付けを有するサブフレームでも最大の重み付けを有するサブフレームでもないことを意味する。また、複数の中位サブフレームは必ずしも同じ重み付けを有さなくてもよい。
【００１４】
好適には、下位サブフレームは重み付け１のサブフレームと重み付け２のサブフレームを含む。或いは、下位サブフレームは重み付け１のサブフレームからなってもよい。
【００１５】
また好適には、複数の中位サブフレームは同じ重み付けを有し、上位サブフレームの少なくとも一つが複数の分割サブフレームに分割されており、これら複数の分割サブフレームの少なくとも一つは中位サブフレームのＱ倍（Ｑは１以上且つ中位サブフレームの総数以下の整数）の重み付けを有しており、Ｑ個の中位サブフレームと分割サブフレームの少なくとも一つとが互いに代替可能となっているものとすることができる。Ｑが１の場合、中位サブフレームの任意の一つと分割サブフレームの少なくとも一つとが代替可能である。尚、本願において「同じ重み付け」は誤差などにより多少の違いがある場合も含む。
【００１６】
上位サブフレームが少なくとも２つのサブフレームを有する場合、これら少なくとも２つの上位サブフレームの少なくとも一つが複数の分割サブフレームに分割されており、これら複数の分割サブフレームの少なくとも一つは他の上位サブフレームの少なくとも一つと同じ重み付けを有し、それにより、前記分割サブフレームの少なくとも一つと前記他の上位サブフレームの少なくとも一つとが互いに代替可能となるようにすると好適である。
【００１７】
本発明の別の側面に基づくと、１フレームを複数のサブフレームに分割して階調を表現する表示装置の駆動方法であって、これら複数のサブフレームは、同じ重み付けを有し重ね合わせ時間階調方式で駆動される複数のサブフレームを含む第１のサブフレームグループと、第１のサブフレームグループのサブフレームより小さな重み付けを有する複数のサブフレームを含む第２のサブフレームグループとを有し、第２のサブフレームグループは１フレーム内において隣接して配置されることによりサブフレーム領域を形成し、階調数の増加によって第２のサブフレームグループのサブフレームが全点灯から全非点灯に変わるときは常に、第１のサブフレームグループに属するサブフレームのうち前記サブフレーム領域に時間的に隣接するサブフレームが非点灯から点灯に変わるようにしたことを特徴とする表示装置の駆動方法が提供される。
【００１８】
或いは、フレームを複数のサブフレームに分割して階調を表現する表示装置の駆動方法であって、これら複数のサブフレームは、同じ重み付けを有し重ね合わせ時間階調方式で駆動される複数のサブフレームを含む第１のサブフレームグループと、第１のサブフレームグループのサブフレームより小さな重み付けを有する複数のサブフレームを含む第２のサブフレームグループとを有し、階調数の増加によって第２のサブフレームグループのサブフレームが全点灯から全非点灯に変わるときは常に、第１のサブフレームグループに属するサブフレームのうち第２のサブフレームグループに属するサブフレームの中で最も大きい重み付けを有するサブフレームに時間的に隣接するサブフレームが非点灯から点灯に変わるようにしたことを特徴とする表示装置の駆動方法が提供される。
【００１９】
本発明の更に別の側面に基づくと、１フレームを複数のサブフレームに分割して階調を表現する表示装置の駆動方法であって、重み付け１を有するサブフレームを含む１または複数の下位サブフレームと、前記下位サブフレームより大きな重み付けを有する１または複数の上位サブフレームとを有し、前記下位サブフレーム及び上位サブフレームの選択的な点灯と画像処理とを用いて階調数を表すことを特徴とする表示装置の駆動方法。
【００２０】
好適には、画像処理はディザ拡散法または誤差拡散法とすることができる。
【００２１】
また下位サブフレームは好適には重み付け１を有するサブフレームと重み付け２を有するサブフレームとを有する。
【００２２】
また好適には、本発明の駆動方法を有する表示装置は有機ＥＬディスプレイ、無機ＥＬディスプレイ、プラズマディスプレイ、電界放出ディスプレイ（ＦＥＤ）、表面電界ディスプレイ（ＳＥＤ）などのような発光装置や、デジタル・マイクロミラー・デバイス（ＤＭＤ）、グレーティングライトバルブ（ＧＬＶ）、反射型液晶ディスプレイなどのような反射型表示装置、または強誘電液晶ディスプレイ、反強誘電液晶ディスプレイなどのような液晶表示装置とするとよい。
【発明の効果】
【００２３】
本発明の一側面によれば、中程度の重み付けを有し重ね合わせ時間階調方式で用いられる複数の中位サブフレームによって疑似輪郭を低減することができる。さらに、中位サブフレームより大きな重み付けを有しバイナリコード時間階調方式で用いられる少なくとも一つの上位サブフレームによってトータルのサブフレーム数の増加を抑制することができる。また、中位サブフレームより小さな重み付けを有しバイナリコード時間階調方式で用いられる少なくとも一つの下位サブフレームによって細かい階調も効率よく表すことができる。
【００２４】
本発明の別の側面によれば、同じ重み付けを有し重ね合わせ時間階調方式で駆動される複数のサブフレームを含む第１のサブフレームグループと、第１のサブフレームグループのサブフレームより小さな重み付けを有する複数のサブフレームを含む第２のサブフレームグループとを有する。そして、第２のサブフレームグループが１フレーム内において隣接して配置されることによりサブフレーム領域を形成する場合、階調数の増加によって第２のサブフレームグループのサブフレームが全点灯から全非点灯に変わるときは常に、第１のサブフレームグループに属するサブフレームのうちサブフレーム領域に時間的に隣接するサブフレームが非点灯から点灯に変わるようにすることによって、サブフレーム点灯パターンの変化を極力小さくできる為、疑似輪郭を低減することができる。
【００２５】
本発明の更に別の側面によれば、重み付け１を有するサブフレームを含む下位サブフレームと、下位サブフレームより大きな重み付けを有する１または複数の上位サブフレームとを有する表示装置において、下位サブフレームと上位サブフレームの間の重み付けを有するサブフレーム（中位サブフレーム）を有していないためにサブフレームの点灯／非点灯の組み合わせによっては表せない階調数を、下位サブフレーム及び上位サブフレームの選択的な点灯と画像処理とを用いて表すことによって、中位サブフレームを用いた場合に発生し得る疑似輪郭を回避することができる。また、画像処理を用いた階調の表示に際して下位サブフレームも選択的に点灯させることで、複雑な画像処理を用いなくても階調間の微小な差異を表現することができ、それによって複雑な画像処理を行うための高価なＩＣ等を不要とすることができる。
【発明を実施するための最良の形態】
【００２６】
以下、本発明の実施の形態を、図面を参照しながら説明する。但し、本発明は多くの異なる態様で実施することが可能であり、本発明の趣旨及びその範囲から逸脱することなくその形態及び詳細を様々に変更し得ることは当業者であれば容易に理解される。従って本実施の形態の記載内容に限定して解釈されるものではない。
【００２７】
（実施の形態１）
図１は、本発明の好適実施形態に基づくサブフレームの点灯パターンを示す図である。この実施形態は、階調数０〜３１の３２（２５）階調を表すべく、中程度の同じ重み付け（４）を有し重ね合わせ時間階調方式で駆動される３つの中位サブフレームＳＦ１〜ＳＦ３と、大きな重み付け（１６）を有する最上位サブフレームＳＦ４と、小さな重み付け（１、２）を有しバイナリコード時間階調方式で駆動される２つの下位サブフレームＳＦ５、ＳＦ６とを有している。この実施形態でも、従来例と同様に、サブフレームＳＦ１〜ＳＦ６を選択的に点灯させることで様々な階調数を表すことができる。尚、１フレーム中におけるサブフレームの点灯順序はＳＦ１〜ＳＦ６の順でも、重み付けの小さいものから大きいものの順でも、その逆でも、或いはランダムでも、１フレームごとに変更してもよく、様々な態様をとり得る。
【００２８】
このような構成によると、中程度の重み付けを有する中位サブフレームＳＦ１〜ＳＦ３を重ね合わせ時間階調方式で駆動することにより、疑似輪郭を低減することができる。また、重ね合わせ時間階調方式で駆動されるサブフレームＳＦ１〜ＳＦ３よりも大きな重み付けを有するサブフレームＳＦ４があることにより、トータルのサブフレーム数は６とすることができる。したがって、図３６に示した従来技術のサブフレーム数９に対して大幅に低減されている。更に、バイナリコード時間階調方式で駆動される下位サブフレームＳＦ５、ＳＦ６によって細かい階調を効率よく表すことができる。このように本発明によると、トータルのサブフレーム数の増加を抑制しつつ、重ね合わせ時間階調方式で駆動されるサブフレームを導入することにより、効果的に疑似輪郭の生成を低減することができる。
【００２９】
図２は、図１の実施形態の変形例を示している。図２の実施形態では、重み付け３２のサブフレームＳＦ７が追加され、トータルで７つのサブフレームがあり、階調数０〜６３の６４階調を表すことが可能となっている点が図１と異なる。即ち、図２の実施形態において、上位サブフレームＳＦ４、ＳＦ７はバイナリコード時間階調方式で駆動される。尚、図１の実施形態では重ね合わせ時間階調方式で駆動されるサブフレームＳＦ１〜ＳＦ３より大きな重み付けを有する上位サブフレームは最上位サブフレームＳＦ６のみであるが、本明細書ではそのような一つのみのサブフレームの駆動もバイナリコード時間階調方式に含まれるものとする。
【００３０】
図２の実施形態でも、中程度の重み付け（４）を有する３つのサブフレームＳＦ１〜ＳＦ３を有するため、疑似輪郭が低減される。また、バイナリコード時間階調方式で駆動される上位サブフレームＳＦ６、ＳＦ７があることで、トータルのサブフレーム数は７と、サブフレーム数の増加が抑制されている。更に、バイナリコード時間階調方式で駆動される下位サブフレームＳＦ５、ＳＦ６によって細かい階調も効率よく表すことができる。このように、本発明は様々な階調数（またはビット数）の表示装置に適用可能であり、サブフレーム数の増加を抑制しつつ疑似輪郭の発生を低減することができる。
【００３１】
図３は、図１の別の実施形態の変形例に基づくサブフレームの点灯パターンを示す図である。図３の実施形態では、図１における最上位のサブフレームＳＦ４が各々８の重み付けを有する２つのサブフレーム（分割サブフレームと呼ぶ）ＳＦ４ａとＳＦ４ｂの２つに分割されている点が図１と異なる。これらサブフレームＳＦ４ａ及びＳＦ４ｂの各々の重み付け（８）は、重ね合わせ時間階調方式で用いられる中位サブフレームＳＦ１〜ＳＦ３の重み付け（４）の２倍に等しい。それにより、階調数１４で点灯するサブフレームＳＦ１、ＳＦ２、ＳＦ３及びＳＦ６のうち、サブフレームＳＦ１及びＳＦ２をサブフレームＳＦ４ａで置き換えることによって異なるサブフレーム点灯パターン（１４′）が追加設定されている。また同様にして、階調数１５に対し、３つの中位サブフレームＳＦ１〜ＳＦ３の任意の２つをサブフレームＳＦ４ａまたはＳＦ４ｂで置き換えることで、３つの異なるサブフレーム点灯パターン（１５′、１５″、１５ａ）が追加されている。階調数１５の点灯パターンは、階調数１６の点灯パターンと点灯するサブフレームが全く重ならないのに対し、これら３つのサブフレーム点灯パターンはサブフレームＳＦ４ａまたはＳＦ４ｂが重なり、従って階調数１６の点灯パターンにより類似している。図３の実施形態では更に、階調数１６に対して点灯するサブフレームＳＦ４ａとＳＦ４ｂのうち一方（図３の例ではサブフレームＳＦ４ｂ）を中位サブフレームＳＦ１〜ＳＦ３の任意の２つ（図３の例ではサブフレームＳＦ２、ＳＦ３）で置き換えることで、階調数１６に対して一つの異なるサブフレーム点灯パターン（１６′）が追加されている。このサブフレーム点灯パターン（１６′）と、階調数１５のサブフレーム点灯パターンとを比べると、サブフレームＳＦ２、ＳＦ３が共通して点灯し、従って、１６′の点灯パターンは１６の点灯パターンよりも１５の点灯パターンに類似している。このように所望の階調数に対して複数のサブフレーム点灯パターンを用意して、どれを使うかを、行ごと、列ごと、画素ごと、フレームごとなどに変えることができる。それにより、例えばある画素Ａが階調数１５（ＳＦ１〜ＳＦ３及びＳＦ５、ＳＦ６が点灯）のとき、画素Ａに隣接する画素Ｂにおいて階調数１６を表す場合、１５′、１５″または１５ａのいずれかの点灯パターンとすることにより、疑似輪郭を低減することができる。
【００３２】
尚、階調数１４、１５、１６のサブフレーム点灯パターンには図示した以外のものも可能であり、また、階調数１４、１５、１６以外の階調数でも複数のサブフレーム点灯パターンを設定することが可能である。また、図３の実施形態では重み付け１６のサブフレームＳＦ４をそれぞれ重み付け８を有する２つのサブフレームＳＦ４ａとＳＦ４ｂに分割したが、本発明は必ずしもこれに限定されない。例えば重み付け１２と重み付け４のサブフレームに分割することも可能であり、その場合、重み付け１２のサブフレームはサブフレームＳＦ１〜ＳＦ３の３つのサブフレームと代替可能であり、重み付け４のサブフレームはサブフレームＳＦ１〜ＳＦ３の任意の一つと代替可能である。一般に、重ね合わせ時間階調方式で用いられる同じ重み付けを有する複数の中位サブフレームと、中位サブフレームより大きな重み付けを有しバイナリコード時間階調方式で用いられる少なくとも一つの上位サブフレームとを有する場合、上位サブフレームの少なくとも一つを複数の分割サブフレームに分割し、これら複数の分割サブフレームの少なくとも一つが中位サブフレームのＱ倍（Ｑは１以上且つ中位サブフレームの総数以下の整数）の重み付けを有するようにすることで、Ｑ個の中位サブフレームと分割サブフレームの少なくとも一つとが互いに代替可能とし、それを利用して所定の階調数に対し複数のサブフレーム点灯パターンを設定することができる。
【００３３】
図４は、図１の更に別の実施形態の変形例に基づくサブフレームの点灯パターンを示す図である。図４の実施形態では、図１における最上位のサブフレームＳＦ４が各々重み付け４を有する２つのサブフレームＳＦ４ａ、ＳＦ４ｂと、重み付け８を有する１つのサブフレーム４ｃの３つに分割されている点が図１と異なる。このように上位のサブフレームの分割数は２に限らず任意である。重み付け４のサブフレームＳＦ４ａ、ＳＦ４ｂの各々は、重ね合わせ時間階調方式で用いられる重み付け４のサブフレームＳＦ１〜ＳＦ３の一つと互いに代替可能である。また、重み付け８のサブフレーム４ｃは、重み付け４のサブフレームＳＦ１〜ＳＦ３のうち２つと互いに代替可能である。これにより、図４の実施形態では階調数１４で点灯するサブフレームＳＦ１、ＳＦ２、ＳＦ３及びＳＦ６のうち、サブフレームＳＦ１をサブフレームＳＦ４ａで置き換えることによって異なるサブフレーム点灯パターン（１４′）が追加設定されている。また同様にして、階調数１５に対し、５つの異なるサブフレーム点灯パターン（１５′、１５″、１５ａ、１５ｂ、１５ｃ）が追加され、階調数１６に対し、１つの異なるサブフレーム点灯パターン（１６′）が追加されている。この場合も、追加可能な異なるサブフレーム点灯パターンは図示したものに限定されず、他のサブフレーム点灯パターンも設定可能であることは容易に理解されるだろう。図４の実施形態でも、図３の実施形態と同様に、ある画素において複数のサブフレーム点灯パターンが設定された階調数を表す場合、隣接する画素の階調数等に応じて複数のサブフレーム点灯パターンの一つを選択的に使用することにより、疑似輪郭を低減することができる。
【００３４】
図５は、本発明に基づくサブフレーム点灯パターンの更に別の実施形態を示す図である。この実施形態は、階調数０〜３１の３２（２５）階調を表すべく、中程度の同じ重み付け（２）を有し重ね合わせ時間階調方式で駆動される３つの中位サブフレームＳＦ１〜ＳＦ３と、異なる重み付け（１６、３２）を有しバイナリコード時間階調方式で駆動される上位サブフレームＳＦ４、ＳＦ５と、小さな重み付け（１）を有しバイナリコード時間階調方式で駆動される１つの下位サブフレームＳＦ６とを有している。図５の実施形態でも、中程度の重み付け（２）を有する３つのサブフレームＳＦ１〜ＳＦ３を有するため、疑似輪郭が低減される。また、バイナリコード時間階調方式で駆動される上位サブフレームＳＦ４、ＳＦ５があることで、トータルのサブフレーム数は６と、サブフレーム数の増加が抑制されている。このように、本発明はバイナリコード時間階調方式で駆動される下位サブフレームが最下位のサブフレーム（ＳＦ６）を１つのみ含む場合にも適用することができ、疑似輪郭を低減することができる。
【００３５】
図６は、図５の実施形態の変形例を示す図である。図６の実施形態では、図５における最上位のサブフレームＳＦ５が各々重み付け８を有する２つのサブフレームＳＦ５ａ、ＳＦ５ｂの２つに分割されている点が図５と異なる。重み付け８のサブフレームＳＦ５ａ、ＳＦ５ｂの各々は、同じく重み付け８の上位サブフレームＳＦ４と互いに代替可能である。これにより、図６の実施形態では階調数１５で点灯するサブフレームＳＦ１、ＳＦ２、ＳＦ３、ＳＦ４及びＳＦ６のうち、サブフレームＳＦ４をサブフレームＳＦ５ａで置き換えることによって異なるサブフレーム点灯パターン（１５′）が追加設定されている。これにより、ある画素で階調数１５を表示する場合、隣接する画素の階調数等に応じてサブフレームＳＦ１〜ＳＦ４を点灯させる点灯パターン（１５）またはサブフレームＳＦ１〜ＳＦ３及びＳＦ５ａを点灯させる点灯パターン（１５′）を選択的に用いることで疑似輪郭を低減することができる。この場合も、複数のサブフレーム点灯パターンを設定可能な階調数は１５に限定されるものではなく、例えば階調数８〜１４の任意のものについてサブフレームＳＦ４の代わりにサブフレームＳＦ５ａまたはＳＦ５ｂを点灯させることで別のサブフレーム点灯パターンを追加することができる。
【００３６】
図７は、本発明の別の実施形態に基づくサブフレーム点灯パターンを示す図である。この実施形態は、ＳＦ１〜ＳＦ９の９つのサブフレームを有し、これら９つのサブフレームは２つのサブフレームグループに分けられる。即ち、サブフレームＳＦ３〜ＳＦ９は同じ重み付け（４）を有し重ね合わせ時間階調方式に用いられる第１のサブフレームグループをなし、サブフレームＳＦ１、ＳＦ２は重ね合わせサブフレームＳＦ３〜ＳＦ９より小さな２の累乗数の重み付け（１：２）を有しバイナリコード時間階調方式に用いられる第２のサブフレームグループをなしている。図示されているように、これらサブフレームＳＦ１〜ＳＦ９の点灯／非点灯の選択により３２階調（０〜３１）を表示することが可能となっている。図７の実施形態では、１フレームにおけるサブフレームＳＦ１〜ＳＦ９の点灯順序は番号順（即ち、ＳＦ１、ＳＦ２、．．．、ＳＦ９）とする。即ち、１フレーム内において、サブフレームＳＦ２とＳＦ３を境にして左側（時間的に前側）がバイナリコードサブフレーム領域（または第２のサブフレームグループ）、右側（時間的に後側）が重ね合わせサブフレーム領域（または第１のサブフレームグループ）というように駆動方式が異なるサブフレーム領域が接している。図７の実施形態では、階調数の増加によってバイナリコード時間階調方式に用いられるサブフレームＳＦ１、ＳＦ２が全点灯から全非点灯に変わるとき（即ち、階調数３→４、７→８など）、重ね合わせ時間階調方式に用いられるサブフレームのうち、バイナリコードサブフレーム領域に時間的に隣接したサブフレームＳＦ３が非点灯から点灯に変わるようになっている。そのため、階調数５〜７、９〜１１、１３〜１５など、バイナリコード時間階調方式に用いられるサブフレームＳＦ１、ＳＦ２のいずれか及び両方が点灯している階調数において、サブフレームＳＦ３の代わりに他の重ね合わせサブフレームが点灯している。
【００３７】
このように階調数の増加によってバイナリコード時間階調方式で駆動される下位のサブフレームＳＦ１、ＳＦ２が全点灯から全非点灯に変わるときには常に、上位の重ね合わせサブフレーム（または第１のサブフレームグループに属するサブフレーム）のうち、バイナリコードサブフレーム領域に時間的に隣接したサブフレームＳＦ３が点灯するようにすることによって、サブフレーム点灯パターンの変化を極力小さくして、疑似輪郭を低減することができる。
【００３８】
図７の実施形態では、バイナリコード時間階調方式で駆動されるサブフレームＳＦ１、ＳＦ２と、重ね合わせ時間階調方式で駆動されるサブフレームＳＦ３〜ＳＦ９とが隣接していたが、本発明はこれに限定されない。例えば、図８に示すように、バイナリコード時間階調方式で駆動される下位サブフレームＳＦ１、ＳＦ２の代わりに、各々重み付け１を有し重ね合わせ時間階調方式で駆動される３つのサブフレームＳＦ１、ＳＦ２ａ、ＳＦ２ｂとすることもできる。即ち、図８の実施形態では重み付けの異なるサブフレームを有する２つの重ね合わせサブフレーム領域（またはサブフレームグループ）が隣接している。この場合も、階調数の増加によって下位の重ね合わせサブフレーム領域に含まれる重み付け１の３つの重ね合わせサブフレームＳＦ１〜ＳＦ３が全点灯から全非点灯になるとき、上位の重ね合わせサブフレーム領域に含まれる重み付け４の７つの重ね合わせサブフレームＳＦ３〜ＳＦ９のうち、下位の重ね合わせサブフレーム領域に隣接するサブフレームＳＦ３が非点灯から点灯に変わるようにすることで、図７の実施形態について述べたのと同様の効果を得ることができる。このように互いに接する異なるサブフレーム領域のうち下位のサブフレーム領域はバイナリコード時間階調方式でも重ね合わせ時間階調方式でもよい。
【００３９】
図９は、図７の別の実施形態に基づくサブフレーム点灯パターンを示す図である。この実施形態は、ＳＦ１〜ＳＦ１０の１０個のサブフレームを有し、下位の３つのサブフレームＳＦ１〜ＳＦ３は２の累乗数の重み付けを有し（１：２：４）バイナリコード時間階調方式に用いられ、サブフレームＳＦ４〜ＳＦ１０はサブフレームＳＦ１〜ＳＦ３より大きな同じ重み付け（８）を有し重ね合わせ時間階調方式に用いられ、これらサブフレームの点灯／非点灯の選択により６４階調（０〜６３）を表示することが可能となっている。この実施形態でも、１フレームにおけるサブフレームＳＦ１〜ＳＦ１０の点灯順序は番号順（即ち、ＳＦ１、ＳＦ２、．．．、ＳＦ１０）となっており、下位のサブフレームＳＦ１〜ＳＦ３はバイナリコードサブフレーム領域をなし、上位のサブフレームＳＦ４〜ＳＦ１０は重ね合わせサブフレーム領域をなしており、両サブフレーム領域はサブフレームＳＦ３とＳＦ４の間で接している。図９の実施形態では、階調数の増加によってバイナリコード時間階調方式に用いられるサブフレームＳＦ１〜ＳＦ３が全点灯から全非点灯に変わるとき（即ち、階調数７→８、１５→１６など）は常に、重ね合わせ時間階調方式に用いられるサブフレームのうち、バイナリコードサブフレーム領域に隣接したサブフレームであるＳＦ４が非点灯から点灯に変わるようになっている。そのため、階調数９〜１５、１７〜２３など、バイナリコード時間階調方式に用いられるサブフレームＳＦ１〜ＳＦ３のいずれか及び全部が点灯している階調数では、サブフレームＳＦ４の代わりに他の重ね合わせサブフレームが点灯している。階調数の増加によってサブフレームＳＦ１〜ＳＦ３が全点灯から全非点灯に変わるとき、重ね合わせサブフレームのうち、下位のバイナリコードサブフレーム領域に隣接したサブフレームであるＳＦ４が点灯することによって、サブフレーム点灯パターンの変化を極力小さくして、疑似輪郭を低減することができる。このように、本発明は任意の階調に適用可能である。
【００４０】
図１０は、図９の実施形態の変形例に基づくサブフレーム点灯パターンを示す図である。図１０の実施形態では、バイナリコードサブフレーム領域に隣接した重ね合わせサブフレームＳＦ４が２階調続けて（例えば、階調数８、９や階調数１６、１７など）点灯している点が図９の実施形態と異なる。このように、階調数の増加によって下位のサブフレーム領域に含まれるサブフレームＳＦ１〜ＳＦ３が全点灯から全非点灯に変わるとき、上位の重ね合わせサブフレームのうち、サブフレームＳＦ１〜ＳＦ３（バイナリコードサブフレーム領域）に隣接したサブフレームであるＳＦ４が点滅から点灯に変わることができるようにするためには、サブフレームＳＦ１〜ＳＦ３が全点灯の階調数においてサブフレームＳＦ４が非点灯となっていればよく、他の階調数全てでＳＦ４が非点灯になっている必要はない。
【００４１】
図１１は、本発明の更に別の側面に基づくサブフレーム点灯パターンを示す図である。図１１の実施形態は、ＳＦ１〜ＳＦ６の６つのサブフレームを有し、下位の２つのサブフレームＳＦ１、ＳＦ２は２の累乗数の重み付けを有し（１：２）バイナリコード時間階調方式に用いられ、サブフレームＳＦ３〜ＳＦ６は下位の２つのサブフレームＳＦ１、ＳＦ２より大きな同じ重み付け（１６）を有し重ね合わせ時間階調方式に用いられる。図１１の実施形態では、中間の重み付け（４及び８）のサブフレームを有していないため、階調数０〜３、１６〜１９、３２〜３５、４８〜５１はサブフレームＳＦ１〜ＳＦ６の点灯／非点灯の組み合わせで表すことができるが、他の階調数、即ち、階調数４〜１５、２０〜３１、３６〜３７、及び５２〜６３はサブフレームＳＦ１〜ＳＦ６の点灯／非点灯の組み合わせで表すことができない。この実施形態では、これらサブフレームＳＦ１〜ＳＦ６の点灯／非点灯の組み合わせで表すことができない階調数をディザ拡散法や誤差拡散法などの画像処理を用いて表す。即ち、階調数４〜１５はＳＦ３（重み付け１６）を点灯させるとともに画像処理を用いることで表示し、階調数２０〜３１はＳＦ３及びＳＦ４（合計の重み付け３２）を点灯させるとともに画像処理を用いることで表示し、階調数３６〜３７はＳＦ３〜ＳＦ５（合計の重み付け４８）を点灯させるとともに画像処理を用いることで表示し、階調数５２〜６３はＳＦ３〜ＳＦ６（合計の重み付け６４）を点灯させるとともに画像処理を用いることで表示する。ここで本発明によれば、図１１の実施形態は小さな重み付け（１、２）を有する下位サブフレームＳＦ１、ＳＦ２を有しているので、画像処理を用いた階調の表示に際してこれら下位サブフレームＳＦ１、ＳＦ２も選択的に点灯させることで、複雑な画像処理を用いなくても階調間の微小な差異を表現することができ、それによって複雑な画像処理を行うための高価なＩＣ等を不要とすることができる。また、重み４、８のような中程度の重み付けを有するサブフレームを追加的に用いてバイナリコード時間階調方式を行った場合に発生し得る疑似輪郭を回避することができる。
【００４２】
図１２は、図１１の実施形態の変形例に基づくサブフレーム点灯パターンを示す図である。図１２の実施形態では、２の累乗数の重み付けを有し（１：２）バイナリコード時間階調方式に用いられる２つの下位サブフレームＳＦ１、ＳＦ２を有する点は図１１の実施形態と同じであるが、重ね合わせ階調方式に用いられる上位サブフレームとして各々重み付け１６を有する４つのサブフレームの代わりに各々重み付け８を有する８つのサブフレームＳＦ３〜ＳＦ１０を有する点が図１１の実施形態と異なる。この実施形態も、中間の重み付け（４）のサブフレームを有していないため、階調数４〜７、１２〜１５、２０〜２３、２８〜３１、３６〜３９、４４〜４７、５２〜５５、６０〜６３はサブフレームＳＦ１〜ＳＦ１０の点灯／非点灯の組み合わせで表すことができず、ディザ拡散法や誤差拡散法などの画像処理を用いて表される。図１２の実施形態も小さな重み付け（１、２）を有する下位サブフレームＳＦ１、ＳＦ２を有しているので、画像処理を用いた階調表示に際して上位サブフレームだけでなくこれら下位サブフレームＳＦ１、ＳＦ２も選択的に点灯させることで、複雑な画像処理を用いなくても階調間の微小な差異を表現することができ、それによって複雑な画像処理を行うための高価なＩＣ等を不要とすることができる。また、重み４の中程度の重み付けを有するサブフレームを追加的に用いてバイナリコード時間階調方式を行った場合に発生し得る疑似輪郭を回避することができる。
【００４３】
図１３は、図１２の実施形態の変形例に基づくサブフレーム点灯パターンを示す図である。図１３の実施形態では、重ね合わせ階調方式で駆動される各々重み付け８を有する８つのサブフレームＳＦ２〜ＳＦ９を有する点は図１２の実施形態と同じであるが、小さな重み付けを有する下位サブフレームとして重み付け１のサブフレームＳＦ１のみを有する点が図１２の実施形態と異なる。図１３の実施形態では、階調数２〜７、１０〜１５、１８〜２３、２６〜３１、３４〜３９、４２〜４７、５０〜５５、５８〜６３はサブフレームＳＦ１〜ＳＦ９の点灯／非点灯の組み合わせで表すことができないので、ディザ拡散法や誤差拡散法などの画像処理を用いて表される。図１３の実施形態も小さな重み付け（１）を有する下位サブフレームＳＦ１を有しているので、画像処理を用いて表示される階調の表示に際して上位サブフレームだけでなく下位サブフレームＳＦ１も選択的に点灯させることで、複雑な画像処理を用いなくても階調間の微小な差異を表現することができる。また、重み４の中程度の重み付けを有するサブフレームを追加的に用いてバイナリコード時間階調方式を行った場合に発生し得る疑似輪郭を回避することができる。このように階調間の微小な差異を表すための小さな重み付けを有する下位サブフレームの数は任意であるが、少なくとも、重み付け１（即ち最小の重み付け）を有するサブフレームを有することが好ましい。
【００４４】
これまでは、階調数が増えると、それに線形に比例して点灯期間が増えている場合について述べた。そこで次に、ガンマ補正を行った場合に本発明を適用した実施形態について述べる。ガンマ補正とは、階調数が増えると、非線形で点灯期間が増えていくようにしたものを指す。人間の目は、輝度が線形に比例して大きくなっても、比例して明るくなっているとは感じない。輝度が高くなるほど、明るさの差を感じにくくなっている。よって、人間の目で、明るさの差を感じるようにするためには、階調数が増えていくにしたがって、点灯期間をより長くとる、つまり、ガンマ補正を行うと好ましい。
【００４５】
ガンマ補正の方法は、実際に表示するビット数（階調数）よりも、多くのビット数（階調数）で表示できるようにしておく、というものである。例えば、６ビット（６４階調）で表示を行うとき、実際には、８ビット（２５６階調）を表示できるようにしておく。そして、実際に表示するときには、階調数の輝度が非線形になるようにして、６ビット（６４階調）で表示する。これにより、ガンマ補正を実現出来る。
【００４６】
一例として、６ビット（６４階調）で表示できるようにしておいて、ガンマ補正を行って５ビット（３２階調）で表示する場合のサブフレームの選択方法について、図１４に示す。図１４の実施形態は、図２の実施形態と同様に、中程度の同じ重み付け（４）を有し重ね合わせ時間階調方式で駆動される３つの中位サブフレームＳＦ１〜ＳＦ３と、中位サブフレームＳＦ１〜ＳＦ３より大きな重み付け（１６、３２）を有しバイナリコード時間階調方式で駆動される２つの上位サブフレームＳＦ４、ＳＦ７と、中位サブフレームＳＦ１〜ＳＦ３より小さな重み付け（１、２）を有しバイナリコード時間階調方式で駆動される２つの下位サブフレームＳＦ５、ＳＦ６とを有し、６ビット表示では、これらサブフレームＳＦ１〜ＳＦ７を選択的に点灯させることで階調数０〜６３の６４（２６）階調を表示可能となっている。これら６ビット表示における０〜６３の階調数を５ビット表示の階調数０〜３１に割り当てることで５ビット表示におけるガンマ補正を実現する。即ち、図１４では、５ビットでの階調数が１２までは、６ビットでの階調数と同じである。しかし、ガンマ補正済みの５ビットでの階調数が１３のときは、実際には６ビットの階調数１４のサブフレームの選択方法で点灯させる。同様に、ガンマ補正済みの５ビットでの階調数が１４のときは、実際には６ビットの階調数１６で表示させ、ガンマ補正済みの５ビットでの階調数が１５のときは、実際には６ビットの階調数１８で表示させる。このように、ガンマ補正済みの５ビットでの階調数と、６ビットでの階調数との対応表を作成し、それに応じて、表示させればよい。これにより、ガンマ補正を実現出来る。
【００４７】
なお、ガンマ補正済みの５ビットでの階調数と、６ビットでの階調数との対応表は、適宜変更することが可能である。よって、対応表を変更することにより、ガンマ補正の程度を容易に変更することが可能である。
【００４８】
また、表示するビット数ｐ（ｐは自然数）とガンマ補正済みのビット数ｑ（ｑは自然数）とは任意の値である。ガンマ補正済みで表示する場合、階調をなめらかに表現するためには、ビット数ｐを出来るだけ大きくしておくことが望ましい。ただし、あまり大きくしすぎると、サブフレーム数が多くなってしまうなど、弊害も出てきてしまう。よって、ビット数ｑとビット数ｐとの関係は、ｑ＋２≦ｐ≦ｑ＋５、とすることが望ましい。これにより、階調をなめらかに表現しつつ、サブフレーム数も増えすぎない、ということを実現できる。
【００４９】
このように本発明は階調数に対し点灯期間（輝度）を非線形に増加させるガンマ補正を行った場合にも適用可能である。
【００５０】
ここまでは、階調の表現方法、つまり、サブフレームの選択方法について述べた。次に、サブフレームの出現順序について述べる。
【００５１】
例として、図９の場合について、サブフレームの出現順序のパターン例を図１５に示す。尚、図１５において重ね合わせ時間階調方式で駆動されるサブフレームＳＦ４〜ＳＦ１０（第１のサブフレームグループ）は網掛けなしで示し、バイナリコード時間階調方式で駆動されるサブフレームＳＦ１〜ＳＦ３（第２のサブフレームグループ）は網掛けで示した。
【００５２】
１つ目のパターンとしては、ＳＦ１、ＳＦ２、ＳＦ３、ＳＦ４、ＳＦ５、ＳＦ６、ＳＦ７、ＳＦ８、ＳＦ９、ＳＦ１０、というものである。バイナリコード時間階調方式におけるサブフレームＳＦ１〜ＳＦ３が、最初にまとまって（即ち、隣接して）配置され、バイナリコードサブフレーム領域をなしている。この場合、図２に示したように、バイナリコードサブフレームＳＦ１〜ＳＦ３が全点灯から全非点灯に変わるときは常に、バイナリコードサブフレーム領域に隣接するサブフレームＳＦ４が非点灯から点灯に変わるようにする。
【００５３】
２つ目のパターンとしては、ＳＦ４、ＳＦ５、ＳＦ６、ＳＦ７、ＳＦ８、ＳＦ９、ＳＦ１０、ＳＦ１、ＳＦ２、ＳＦ３というものである。バイナリコード時間階調方式におけるサブフレームＳＦ１〜３が、最後にまとまって配置されバイナリコードサブフレーム領域をなしている。この場合、バイナリコードサブフレーム領域に接するサブフレームＳＦ１０を図２のサブフレームＳＦ４のように駆動する。即ち、バイナリコードサブフレームＳＦ１〜ＳＦ３が全点灯から全非点灯に変わるときは常にサブフレームＳＦ１０が非点灯から点灯に変わるようにする。
【００５４】
３つ目のパターンとしては、ＳＦ４、ＳＦ５、ＳＦ６、ＳＦ７、ＳＦ１、ＳＦ２、ＳＦ３、ＳＦ９、ＳＦ１０、ＳＦ８、というものである。バイナリコード時間階調方式におけるサブフレームＳＦ１〜ＳＦ３が、真ん中にまとまって配置されバイナリコードサブフレーム領域をなしている。この場合、バイナリコードサブフレーム領域に接する重ね合わせサブフレームはＳＦ７とＳＦ９の２つあるので、このどちらを図２におけるサブフレームＳＦ４のように駆動してもよい。即ち、バイナリコードサブフレームＳＦ１〜ＳＦ３が全点灯から全非点灯に変わるときは常にサブフレームＳＦ７またはＳＦ９が非点灯から点灯に変わるようにする。
【００５５】
４つ目のパターンとしては、ＳＦ４、ＳＦ５、ＳＦ１、ＳＦ６、ＳＦ７、ＳＦ２、ＳＦ８、ＳＦ９、ＳＦ３、ＳＦ１０、というものである。重ね合わせ時間階調方式におけるサブフレームＳＦ４〜ＳＦ１０は、順次並んでいる。バイナリコード時間階調方式におけるサブフレームＳＦ１〜ＳＦ３も、順次並んでいる。そして、重ね合わせ時間階調方式におけるサブフレームが２つ並んだ後、バイナリコード時間階調方式におけるサブフレームが１つ配置されている。バイナリコードサブフレームＳＦ１〜ＳＦ３は１フレーム内に分散して配置されており、まとまったバイナリコードサブフレーム領域をなしていない。この場合、バイナリコードサブフレームのうち最大の重み付けを有するサブフレームＳＦ３に隣接する重ね合わせサブフレームＳＦ９またはＳＦ１０のいずれかを図２におけるサブフレームＳＦ４のように駆動するとよい。
【００５６】
５つ目のパターンとしては、ＳＦ４、ＳＦ５、ＳＦ２、ＳＦ６、ＳＦ７、ＳＦ１、ＳＦ８、ＳＦ９、ＳＦ３、ＳＦ１０、というものである。これは、４つ目のパターンに対して、バイナリコード時間階調方式におけるサブフレームの出現順序をランダムにしたものである。この場合も、バイナリコードサブフレームのうち最大の重み付けを有するサブフレームＳＦ３に隣接する重ね合わせサブフレームＳＦ９またはＳＦ１０のいずれかを図２におけるサブフレームＳＦ４のように駆動するとよい。
【００５７】
６つ目のパターンとしては、ＳＦ４、ＳＦ８、ＳＦ１、ＳＦ５、ＳＦ１０、ＳＦ２、ＳＦ６、ＳＦ９、ＳＦ３、ＳＦ７、というものである。これは、４つ目のパターンに対して、重ね合わせ時間階調方式におけるサブフレームの出現順序をランダムにしたものである。この場合、バイナリコードサブフレームのうち最大の重み付けを有するサブフレームＳＦ３に隣接する重ね合わせサブフレームＳＦ９またはＳＦ７のいずれかを図２におけるサブフレームＳＦ４のように駆動するとよい。
【００５８】
７つ目のパターンとしては、ＳＦ４、ＳＦ８、ＳＦ２、ＳＦ５、ＳＦ１０、ＳＦ１、ＳＦ６、ＳＦ９、ＳＦ３、ＳＦ７、というものである。これは、４つ目のパターンに対して、重ね合わせ時間階調方式におけるサブフレームの出現順序と、バイナリコード時間階調方式におけるサブフレームの出現順序とをランダムにしたものである。この場合も、バイナリコードサブフレームのうち最大の重み付けを有するサブフレームＳＦ３に隣接する重ね合わせサブフレームＳＦ９またはＳＦ７のいずれかを図２におけるサブフレームＳＦ４のように駆動するとよい。
【００５９】
８つ目のパターンとしては、ＳＦ４、ＳＦ５、ＳＦ１、ＳＦ６、ＳＦ２、ＳＦ７、ＳＦ８、ＳＦ９、ＳＦ３、ＳＦ１０、というものである。これは、重ね合わせ時間階調方式におけるサブフレームが２つ並んだ後、バイナリコード時間階調方式におけるサブフレームが１つ配置され、重ね合わせ時間階調方式におけるサブフレームが１つ配置され、バイナリコード時間階調方式におけるサブフレームが１つ配置され、重ね合わせ時間階調方式におけるサブフレームが３つ配置され、付加サブフレームが１つ配置されたものである。この場合、バイナリコードサブフレームのうち最大の重み付けを有するサブフレームＳＦ３に隣接する重ね合わせサブフレームＳＦ９またはＳＦ１０のいずれかを図２におけるサブフレームＳＦ４のように駆動するとよい。
【００６０】
９つ目のパターンとしては、ＳＦ４、ＳＦ５、ＳＦ６、ＳＦ７、ＳＦ１、ＳＦ２、ＳＦ８、ＳＦ９、ＳＦ１０、ＳＦ３、というものである。これは、重ね合わせ時間階調方式におけるサブフレームが４つ並んだ後、バイナリコード時間階調方式におけるサブフレームが２つ配置され、重ね合わせ時間階調方式におけるサブフレームが３つ配置され、バイナリコード時間階調方式におけるサブフレームが一つ配置されたものである。この場合、バイナリコードサブフレームのうち最大の重み付けを有するサブフレームＳＦ３に隣接する重ね合わせサブフレームＳＦ１０を図２におけるサブフレームＳＦ４のように駆動するとよい。
【００６１】
このように、重ね合わせ時間階調方式におけるサブフレームの間に、バイナリコード時間階調方式におけるサブフレームを配置して、サブフレームが偏在しないようにすることが望ましい。その結果、目が誤魔化されて、疑似輪郭を低減出来る。
【００６２】
なお、サブフレームの出現順序は変化してもよい。例えば、１フレーム目と２フレーム目とで、サブフレームの出現順序が変わっても良い。また、サブフレームの出現順序は、位置によって変わっても良い。
【００６３】
なお、通常のフレーム周波数は、６０ヘルツであるが、これに限定されない。フレーム周波数を上げることにより、疑似輪郭を低減してもよい。例えば、通常の倍の周波数１２０ヘルツ程度で動作させてもよい。
【００６４】
（実施の形態２）
本実施の形態では、タイミングチャートの例について述べる。サブフレームの選択方法は、一例として、図１のものを用いることにするが、これに限定されず、他のサブフレームの選択方法や他の階調数などにも容易に適用可能である。
【００６５】
また、サブフレームが出現する順番は、一例として、ＳＦ１、ＳＦ２、ＳＦ３、ＳＦ４、ＳＦ５、ＳＦ６であるとするが、これに限定されず、他の順番にも容易に適用可能である。
【００６６】
まず、画素に信号を書き込む期間と点灯する期間とが分離されている場合のタイミングチャートを図１６に示す。まず、信号書き込み期間において、１画面分の信号を全画素に入力する。この間は、画素は点灯しない。信号書き込み期間が終了したのち、点灯期間が始まり、画素が点灯する。そのときの点灯期間の長さは１である。次に、次のサブフレームが始まり、信号書き込み期間において、１画面分の信号を全画素に入力する。この間は、画素は点灯しない。信号書き込み期間が終了したのち、点灯期間が始まり、画素が点灯する。そのときの点灯期間の長さは２である。
【００６７】
同様のことを繰り返すことにより、点灯期間の長さが、４、４、４、１６、１、２という順序で配置される。
【００６８】
このように、画素に信号を書き込む期間と点灯する期間とが分離されている駆動方法は、プラズマディスプレイに適用することが好適である。なお、プラズマディスプレイに用いる場合は、初期化の動作などが必要になる。しかしながら、簡単のため、省略している。
【００６９】
また、この駆動方法は、有機ＥＬディスプレイやフィールドエミッションディスプレイやデジタル・マイクロミラー・デバイス（ＤＭＤ）を用いたディスプレイなどに適用することも好適である。
【００７０】
その場合の画素構成を図１７に示す。ゲート線１６０７を選択して、選択トランジスタ１６０１をオン状態にして、信号線１６０５から信号を保持容量１６０２に入力する。すると、その信号に応じて、駆動トランジスタ１６０３の電流が制御され、第１電源線１６０６から、表示素子１６０４を通って、第２電源線１６０８に電流が流れる。
【００７１】
なお、信号書き込み期間においては、第１電源線１６０６と第２電源線１６０８の電位を制御することにより、表示素子１６０４には電圧が加わらないようにしておく。その結果、信号書き込み期間において、表示素子１６０４が点灯することを避けることが出来る。
【００７２】
次に、画素に信号を書き込む期間と点灯する期間とが分離されていない場合のタイミングチャートを図１８に示す。各行において、信号書き込み動作を行うと、すぐに点灯期間が開始する。
【００７３】
ある行において、信号を書き込み、所定の点灯期間が終了したのち、次のサブフレームにおける信号の書き込み動作を開始する。これを繰り返すことにより、点灯期間の長さが、４、４、４、１６、１、２という順序で配置される。
【００７４】
このようにすることにより、信号の書き込み動作が遅くても、１フレーム内に多くのサブフレームを配置することが可能となる。
【００７５】
このような駆動方法は、プラズマディスプレイに適用することが好適である。なお、プラズマディスプレイに用いる場合は、初期化の動作などが必要になるが、ここでは説明を省略している。
【００７６】
また、この駆動方法は、有機ＥＬディスプレイ、無機ＥＬディスプレイ、プラズマディスプレイ、電界放出ディスプレイ（ＦＥＤ）、表面電界ディスプレイ（ＳＥＤ）などのような発光装置や、デジタル・マイクロミラー・デバイス（ＤＭＤ）、グレーティングライトバルブ（ＧＬＶ）、反射型液晶ディスプレイなどのような反射型表示装置、または強誘電液晶ディスプレイ、反強誘電液晶ディスプレイなどのような液晶表示装置に適用することも好適である。
【００７７】
画素構成の一例を図１９に示す。第１ゲート線１８０７を選択して、第１選択トランジスタ１８０１をオン状態にして、第１信号線１８０５から信号を保持容量１８０２に入力する。すると、その信号に応じて、駆動トランジスタ１８０３の電流が制御され、第１電源線１８０６から、表示素子１８０４を通って、第２電源線１８０８に電流が流れる。同様に、第２ゲート線１８１７を選択して、第２選択トランジスタ１８１１をオン状態にして、第２信号線１８１５から信号を保持容量１８０２に入力する。すると、その信号に応じて、駆動トランジスタ１８０３の電流が制御され、第１電源線１８０６から、表示素子１８０４を通って、第２電源線１８０８に電流が流れる。
【００７８】
第１ゲート線１８０７と第２ゲート線１８１７とは、別々に制御出来る。同様に、第１信号線１８０５と第２信号線１８１５とは、別々に制御出来る。よって、同時に２行分の画素に信号を入力することが可能であるため、図１８のような駆動法が実現出来る。
【００７９】
なお、図１７の回路を用いて、図１８のような駆動法を実現することも可能である。その場合のタイミングチャートを図２０に示す。図２０に示すように、１ゲート選択期間を複数（図２０では２つ）に分割する。そして、分割された選択期間内で、各々のゲート線を選択し、その時に対応する信号を信号線１６０５に入力する。例えば、ある１ゲート選択期間において、前半はｉ行目を選択し、後半はｊ行目を選択する。すると、１ゲート選択期間において、あたかも同時に２行分を選択したかのように動作させることが可能となる。
【００８０】
なお、このような駆動方法を本願発明と組み合わせて適用することが出来る。
【００８１】
次に、画素の信号を消去する動作を行う場合のタイミングチャートを図２１に示す。各行において、信号書き込み動作を行い、次の信号書き込み動作が来る前に、画素の信号を消去する。このようにすることにより、点灯期間の長さを容易に制御できるようになる。
【００８２】
ある行において、信号を書き込み、所定の点灯期間が終了したのち、次のサブフレームにおける信号の書き込み動作を開始する。もし、点灯期間が短い場合は、信号消去動作を行い、非点灯状態にする。このような動作を繰り返すことにより、点灯期間の長さが、４、４、４、１６、１、２という順序で配置される。
【００８３】
なお、図２１では、点灯期間が１と２の場合において、信号消去動作を行っているが、これに限定されない。他の点灯期間においても、消去動作を行っても良い。
【００８４】
このようにすることにより、信号の書き込み動作が遅くても、１フレーム内に多くのサブフレームを配置することが可能となる。また、消去動作を行う場合は、消去用のデータをビデオ信号と同様に取得する必要がないため、ソースドライバの駆動周波数も低減出来る。
【００８５】
このような駆動方法は、プラズマディスプレイに適用することが好適である。なお、プラズマディスプレイに用いる場合は、初期化の動作などが必要になるが、簡単のため、省略している。
【００８６】
また、この駆動方法は、有機ＥＬディスプレイやフィールドエミッションディスプレイやデジタル・マイクロミラー・デバイス（ＤＭＤ）を用いたディスプレイなどに適用することも好適である。
【００８７】
その場合の画素構成を図２２に示す。第１ゲート線２１０７を選択して、選択トランジスタ２１０１をオン状態にして、信号線２１０５から信号を保持容量２１０２に入力する。すると、その信号に応じて、駆動トランジスタ２１０３の電流が制御され、第１電源線２１０６から、表示素子２１０４を通って、第２電源線２１０８に電流が流れる。
【００８８】
信号を消去したい場合は、第２ゲート線２１１７を選択して、消去トランジスタ２１１１をオン状態にして、駆動トランジスタ２１０３がオフ状態になるようにする。すると、第１電源線２１０６から、表示素子２１０４を通って、第２電源線２１０８には、電流が流れないようになる。その結果、非点灯期間を作ることができ、点灯期間の長さを自由に制御できるようになる。
【００８９】
図２２では、消去トランジスタ２１１１を用いているが、別の方法を用いることも出来る。なぜなら、強制的に非点灯期間をつくればよいので、表示素子２１０４に電流が供給されないようにすればよいからである。よって、第１電源線２１０６から、表示素子２１０４を通って、第２電源線２１０８に電流が流れる経路にスイッチを配置して、そのスイッチのオンオフを制御して、非点灯期間を作ればよい。あるいは、駆動トランジスタ２１０３のゲート・ソース間電圧を制御して、駆動トランジスタが強制的にオフになるようにすればよい。
【００９０】
駆動トランジスタを強制的にオフにする場合の画素構成の例を図２３に示す。選択トランジスタ２２０１、駆動トランジスタ２２０３、消去ダイオード２２１１、表示素子２２０４が配置されている。選択トランジスタ２２０１のソースとドレインは各々、信号線２２０５と駆動トランジスタ２２０３のゲートに接続されている。選択トランジスタ２２０１のゲートは、第１ゲート線２１０７に接続されている。駆動トランジスタ２２０３のソースとドレインは各々、第１電源線２２０６と表示素子２２０４に接続されている。消去ダイオード２２１１は、駆動トランジスタ２２０３のゲートと第２ゲート線２２１７に接続されている。
【００９１】
保持容量２２０２は、駆動トランジスタ２２０３のゲート電位を保持する役目をしている。よって、駆動トランジスタ２２０３のゲートと第１電源線２２０６の間に接続されているが、これに限定されない。駆動トランジスタ２２０３のゲート電位を保持できるように配置されていればよい。また、駆動トランジスタ２２０３のゲート容量などを用いて、駆動トランジスタ２２０３のゲート電位を保持できる場合は、保持容量２２０２を省いても良い。
【００９２】
動作方法としては、第１ゲート線２２０７を選択して、選択トランジスタ２２０１をオン状態にして、信号線２２０５から信号を保持容量２２０２に入力する。すると、その信号に応じて、駆動トランジスタ２２０３の電流が制御され、第１電源線２１０６から、表示素子２１０４を通って、第２電源線２１０８に電流が流れる。
【００９３】
信号を消去したい場合は、第２ゲート線２１１７を選択（ここでは、高い電位にする）して、消去ダイオード２２１１がオンして、第２ゲート線２１１７から駆動トランジスタ２２０３のゲートへ電流が流れるようにする。その結果、駆動トランジスタ２２０３がオフ状態になる。すると、第１電源線２２０６から、表示素子２２０４を通って、第２電源線２２０８には、電流が流れないようになる。その結果、非点灯期間を作ることができ、点灯期間の長さを自由に制御できるようになる。
【００９４】
信号を保持しておきたい場合は、第２ゲート線２１１７を非選択（ここでは、低い電位にする）しておく。すると、消去ダイオード２２１１がオフするので、駆動トランジスタ２２０３のゲート電位は保持される。
【００９５】
なお、消去ダイオード２２１１は、整流性がある素子であれば、なんでもよい。ＰＮ型ダイオードでもよいし、ＰＩＮ型ダイオードでもよいし、ショットキー型ダイオードでもよいし、ツェナー型ダイオードでもよい。
【００９６】
また、トランジスタを用いて、ダイオード接続（ゲートとドレインを接続）して、用いても良い。その場合の回路図を図２４に示す。消去ダイオード２２１１として、ダイオード接続したトランジスタ２３１１を用いている。ここでは、Ｎチャネル型を用いているが、これに限定されない。Ｐチャネル型を用いても良い。
【００９７】
なお、さらに別の回路として、図１７の回路を用いて、図２１のような駆動法を実現することも可能である。その場合のタイミングチャートを図２０に示す。図２０に示すように、１ゲート選択期間を複数（図２０では２つ）に分割する。そして、分割された選択期間内で、各々のゲート線を選択し、その時に対応する信号（ビデオ信号と消去するための信号）を信号線１６０５に入力する。例えば、ある１ゲート選択期間において、前半はｉ行目を選択し、後半はｊ行目を選択する。そして、ｉ行目が選択されているときは、それようのビデオ信号を入力する。一方、ｊ行目が選択されているときは、駆動トランジスタがオフするような信号を入力する。すると、１ゲート選択期間において、あたかも同時に２行分を選択したかのように動作させることが可能となる。
【００９８】
なお、このような駆動方法を本願発明と組み合わせて適用することが出来る。
【００９９】
なお、本実施の形態において示したタイミングチャートや画素構成や駆動方法は、一例であり、これに限定されない。様々なタイミングチャートや画素構成や駆動方法に適用することが可能である。
【０１００】
なお、サブフレームの出現順序は、時刻によって変化してもよい。例えば、１フレーム目と２フレーム目とで、サブフレームの出現順序が変わっても良い。また、サブフレームの出現順序は、位置によって変わっても良い。例えば、画素Ａと画素Ｂとで、サブフレームの出現順序が変わっても良い。また、それらを組み合わせて、サブフレームの出現順序が、時刻によって変化して、かつ、位置によって変化してもよい。
【０１０１】
なお、本実施の形態において、１フレーム期間内に、点灯期間や信号書き込み期間や非点灯期間が配置されていたが、これに限定されない。それ以外の動作期間が配置されていてもよい。例えば、表示素子に加える電圧を、通常とは逆の極性のものにするような期間、いわゆる、逆バイアス期間を設けても良い。逆バイアス期間を設けることにより、表示素子の信頼性が向上する場合がある。
【０１０２】
なお、本実施の形態で述べた画素構成は、これに限定されない。同様な機能を果たす構成であれば、適用可能である。
【０１０３】
なお、本実施の形態で述べた内容は、実施の形態１で述べた内容と自由に組み合わせて実施することができる。
【０１０４】
（実施の形態３）
本実施の形態では、本発明の駆動方法を用いる表示装置の例について示す。
【０１０５】
代表的な表示装置としては、プラズマディスプレイが上げられる。プラズマディスプレイの画素は、発光・非発光の２つの状態しかとれない。よって、多階調化のための手段の一つとして、時間階調法が用いられている。よって、その部分に本発明を適用することが出来る。
【０１０６】
なお、プラズマディスプレイでは、画素への信号の書き込みだけでなく、画素の初期化を行う必要がある。よって、重ね合わせ時間階調方式を用いる部分では、サブフレームが順次ならび、かつ、間に、バイナリコード時間階調方式でのサブフレームが挿入されていないことが望ましい。そのようにサブフレームを配置することにより、画素の初期化の回数を低減できる。その結果、コントラストの向上を図ることが出来る。
【０１０７】
しかしながら、バイナリコード時間階調方式でのサブフレームがまとまって配置されていると、その部分が要因となって、疑似輪郭が発生してしまう。よって、バイナリコード時間階調方式でのサブフレームは、できるだけ、１フレーム内で分散させて配置することが望ましい。バイナリコード時間階調方式でのサブフレームを用いる場合、各サブフレームに対応させて、初期化を行う必要がある。よって、バイナリコード時間階調方式でのサブフレームを分散させて配置しても、大きな問題とはならない。一方、重ね合わせ時間階調方式のサブフレームの場合、点灯しているサブフレームが連続して配置されていれば、初期化を行う必要がない。したがって、サブフレームは、出来るだけ、順次配置されていることが望ましい。
【０１０８】
したがって、重ね合わせ時間階調方式のサブフレームとバイナリコード時間階調方式でのサブフレームを組み合わせて用いる場合、サブフレームの出現順序としては、重ね合わせ時間階調方式のサブフレームは、点灯しているサブフレームが連続するように配置され、バイナリコード時間階調方式でのサブフレームは、重ね合わせ時間階調方式のサブフレームの間に分散して配置されていることが望ましい。これにより、初期化の回数を減らすことができ、コントラストの向上を図ることが出来、かつ、疑似輪郭の発生を低減することが出来る。
【０１０９】
プラズマディスプレイ以外の表示装置の例としては、有機ＥＬディスプレイやフィールドエミッションディスプレイやデジタル・マイクロミラー・デバイス（ＤＭＤ）を用いたディスプレイや強誘電性液晶ディスプレイや双安定型液晶ディスプレイなどが上げられる。これらはいずれも、時間階調方式を用いることが可能な表示装置である。これらの表示装置に本発明を適用することにより、時間階調方式を用いながら、疑似輪郭を低減することが出来る。
【０１１０】
例えば、有機ＥＬディスプレイの場合、画素を初期化する必要がない。よって、初期化のときに発光してしまって、コントラストが低減してしまう、ということは起こらない。よって、サブフレームの出現順序は、任意に設定できる。出来るだけ疑似輪郭が生じないように、分散して配置することが望ましい。
【０１１１】
したがって、重ね合わせ時間階調方式のサブフレームは、点灯しているサブフレームが連続するように配置され、バイナリコード時間階調方式でのサブフレームは、重ね合わせ時間階調方式のサブフレームの間に分散して配置してもよい。これにより、重ね合わせ時間階調方式のサブフレームは、１フレーム内である程度まとまって配置されることになる。よって、１フレーム目から２フレーム目に変わるときに、変わり目で疑似輪郭が出てしまうことを少なくすることが出来る。いわゆる、動画疑似輪郭を低減することが可能となる。また、バイナリコード時間階調方式でのサブフレームは、分散して配置されているので、疑似輪郭を低減することが可能である。
【０１１２】
また、重ね合わせ時間階調方式のサブフレームは、分散して配置して、バイナリコード時間階調方式でのサブフレームも分散して配置してもよい。その結果、バイナリコード時間階調方式の部分が要因となる疑似輪郭が、重ね合わせ時間階調方式のサブフレームと混ざり合うため、全体として、疑似輪郭の低減効果が高くなる。
【０１１３】
なお、本実施の形態で述べた内容は、実施の形態１〜２で述べた内容と自由に組み合わせて実施することができる。
【０１１４】
（実施の形態４）
本実施の形態では、表示装置、および、信号線駆動回路やゲート線駆動回路などの構成とその動作について、説明する。
【０１１５】
表示装置は、図２５に示すように、画素配列２４０１、ゲート線駆動回路２４０２、信号線駆動回路２４１０を有している。ゲート線駆動回路２４０２は、画素配列２４０１に選択信号を順次出力する。ゲート線駆動回路２４０２は、シフトレジスタやバッファ回路などから構成されている。
【０１１６】
このほかにも、ゲート線駆動回路２４０２は、レベルシフタ回路やパルス幅制御回路などが配置されている場合も多い。信号線駆動回路２４１０は、画素配列２４０１にビデオ信号を順次出力する。シフトレジスタ２４０３では、ゲート線を順次選択していくようなパルスを出力する。画素配列２４０１では、ビデオ信号に従って、光の状態を制御することにより、画像を表示する。信号線駆動回路２４１０から画素配列２４０１へ入力するビデオ信号は、電圧である場合が多い。つまり、各画素に配置された表示素子や表示素子を制御する素子は、信号線駆動回路２４１０から入力されるビデオ信号（電圧）によって、状態を変化させる。画素に配置する表示素子の例としては、ＥＬ素子やＦＥＤ（フィールドエミッションディスプレイ）で用いる素子や液晶やＤＭＤ（デジタル・マイクロミラー・デバイス）などがあげられる。
【０１１７】
なお、ゲート線駆動回路２４０２や信号線駆動回路２４１０は、複数配置されていてもよい。
【０１１８】
信号線駆動回路２４１０は、構成を複数の部分に分けられる。大まかには、一例として、シフトレジスタ２４０３、第１ラッチ回路（ＬＡＴ１）２４０４、第２ラッチ回路（ＬＡＴ２）２４０５、増幅回路２４０６に分けられる。増幅回路２４０６は、デジタル信号をアナログに変換する機能を有していたり、ガンマ補正を行う機能を有していてもよい。
【０１１９】
また、画素は、ＥＬ素子などの表示素子を有している。その表示素子に電流（ビデオ信号）を出力する回路、すなわち、電流源回路を有していることもある。
【０１２０】
そこで、信号線駆動回路２４１０の動作を簡単に説明する。シフトレジスタ２４０３は、クロック信号（Ｓ−ＣＬＫ）、スタートパルス（ＳＰ）、クロック反転信号（Ｓ−ＣＬＫｂ）が入力され、これらの信号のタイミングに従って、順次サンプリングパルスが出力される。
【０１２１】
シフトレジスタ２４０３より出力されたサンプリングパルスは、第１ラッチ回路（ＬＡＴ１）２４０４に入力される。第１ラッチ回路（ＬＡＴ１）２４０４には、ビデオ信号線２４０８より、ビデオ信号が入力されており、サンプリングパルスが入力されるタイミングに従って、各列でビデオ信号を保持していく。
【０１２２】
第１ラッチ回路（ＬＡＴ１）２４０４において、最終列までビデオ信号の保持が完了すると、水平帰線期間中に、ラッチ制御線２４０９よりラッチパルス（Ｌａｔｃｈ  Ｐｕｌｓｅ）が入力され、第１ラッチ回路（ＬＡＴ１）２４０４に保持されていたビデオ信号は、一斉に第２ラッチ回路（ＬＡＴ２）２４０５に転送される。その後、第２ラッチ回路（ＬＡＴ２）２４０５に保持されたビデオ信号は、１行分が同時に、増幅回路２４０６へと入力される。そして、増幅回路２４０６から出力される信号は、画素配列２４０１へ入力される。
【０１２３】
第２ラッチ回路（ＬＡＴ２）２４０５に保持されたビデオ信号が増幅回路２４０６に入力され、そして、画素配列２４０１に入力されている間、シフトレジスタ２４０３においては再びサンプリングパルスが出力される。つまり、同時に２つの動作が行われる。これにより、線順次駆動が可能となる。以後、この動作を繰り返す。
【０１２４】
なお、信号線駆動回路やその一部（電流源回路や増幅回路など）は、画素配列２４０１と同一基板上に存在せず、例えば、外付けのＩＣチップを用いて構成されることもある。
【０１２５】
なお、信号線駆動回路やゲート線駆動回路などの構成は、図２５に限定されない。例えば、点順次駆動で画素に信号を供給する場合もある。その場合の信号線駆動回路２５１０の例を図２６に示す。シフトレジスタ２５０３から、サンプリングパルスがサンプリング回路２５０４に出力される。ビデオ信号線２５０８より、ビデオ信号が入力され、サンプリングパルスに応じて、画素２５０１へビデオ信号が出力される。
【０１２６】
なお、すでに述べたように、本発明におけるトランジスタは、どのようなタイプのトランジスタでもよいし、どのような基板上に形成されていてもよい。したがって、図２５や図２６で示したような回路が、全てガラス基板上に形成されていてもよいし、プラスチック基板に形成されていてもよいし、単結晶基板に形成されていてもよいし、ＳＯＩ基板上に形成されていてもよいし、どのような基板上に形成されていてもよい。あるいは、図２５や図２６における回路の一部が、ある基板に形成されており、図２５や図２６における回路の別の一部が、別の基板に形成されていてもよい。つまり、図２５や図２６における回路の全てが同じ基板上に形成されていなくてもよい。例えば、図２５や図２６において、画素配列２４０１とゲート線駆動回路２４０２とは、ガラス基板上にＴＦＴを用いて形成し、信号線駆動回路２４１０（もしくはその一部）は、単結晶基板上に形成し、そのＩＣチップをＣＯＧ（Ｃｈｉｐ  Ｏｎ  Ｇｌａｓｓ）で接続してガラス基板上に配置してもよい。あるいは、そのＩＣチップをＴＡＢ（Ｔａｐｅ  Ａｕｔｏ  Ｂｏｎｄｉｎｇ）やプリント基板を用いてガラス基板と接続してもよい。
【０１２７】
なお、本実施の形態で説明した内容は、実施の形態１〜３で説明した内容を利用したものに相当する。したがって、実施の形態１〜３で説明した内容は、本実施の形態にも適用できる。
【０１２８】
（実施の形態５）
次に、本発明の表示装置における画素のレイアウトについて述べる。例としては、図２４に示した回路図について、そのレイアウト図を図２７に示す。なお、回路図やレイアウト図は、図２４や図２７に限定されない。
【０１２９】
選択トランジスタ２６０１、駆動トランジスタ２６０３、消去トランジスタ２６１１、表示素子２６０４の電源が配置されている。選択トランジスタ２６０１のソースとドレインは各々、信号線２６０５と駆動トランジスタ２６０３のゲートに接続されている。選択トランジスタ２６０１のゲートは、第１ゲート線２１０７に接続されている。駆動トランジスタ２６０３のソースとドレインは各々、電源線２６０６と表示素子２６０４に接続されている。ダイオード接続された消去トランジスタ２６１１は、駆動トランジスタ２６０３のゲートと第２ゲート線２６１７に接続されている。保持容量２６０２は、駆動トランジスタ２６０３のゲートと電源線２６０６の間に接続されている。
【０１３０】
信号線２６０５、電源線２６０６は、第２配線によって形成され、第１ゲート線２１０７、第２ゲート線２６１７は、第１配線によって形成されている。
【０１３１】
トップゲート構造の場合は、基板、半導体層、ゲート絶縁膜、ゲート電極として機能する第１配線、層間絶縁膜、ソース電極・ドレイン電極として機能する第２配線、の順で膜が構成される。ボトムゲート構造の場合は、基板、ゲート電極として機能する第１配線、ゲート絶縁膜、半導体層、層間絶縁膜、ソース電極・ドレイン電極として機能する第２配線、の順で膜が構成される。
【０１３２】
なお、本実施の形態で述べた内容は、実施の形態１〜４で述べた内容と自由に組み合わせて実施することができる。
【０１３３】
（実施の形態６）
本実施の形態では、実施の形態１から実施の形態５までで述べた駆動方法を制御するハードウェアについて述べる。
【０１３４】
大まかな構成図を図２８に示す。基板２７０１の上に、画素配列２７０４が配置されている。信号線駆動回路２７０６やゲート線駆動回路２７０５が配置されている場合が多い。それ以外にも、電源回路やプリチャージ回路やタイミング生成回路などが配置されていることもある。また、信号線駆動回路２７０６やゲート線駆動回路２７０５が配置されていない場合もある。その場合は、基板２７０１に配置されていないものは、ＩＣに形成されることが多い。そのＩＣは、基板２７０１の上に、ＣＯＧ（Ｃｈｉｐ  Ｏｎ  Ｇｌａｓｓ）によって配置されている場合も多い。あるいは、周辺回路基板２７０２と基板２７０１とを接続する接続基板２７０７の上に、ＩＣが配置される場合もある。
【０１３５】
周辺回路基板２７０２には、信号２７０３が入力される。そして、コントローラ２７０８が制御して、メモリ２７０９やメモリ２７１０などに信号が保存される。信号２７０３がアナログ信号の場合は、アナログ・デジタル変換を行った後、そして、メモリ２７０９やメモリ２７１０などに保存されることが多い。そして、コントローラ２７０８がメモリ２７０９やメモリ２７１０などに保存された信号を用いて、基板２７０１に信号を出力する。
【０１３６】
実施の形態１から実施の形態５までで述べた駆動方法を実現するために、コントローラ２７０８が、サブフレームの出現順序などを制御して、基板２７０１に信号を出力する。
【０１３７】
なお、本実施の形態で述べた内容は、実施の形態１〜５で述べた内容と自由に組み合わせて実施することができる。
【０１３８】
（実施の形態７）
本発明の表示装置、およびその駆動方法を用いた表示装置を表示部に有する携帯電話の構成例について図２９を用いて説明する。
【０１３９】
表示パネル５４１０はハウジング５４００に脱着自在に組み込まれる。ハウジング５４００は表示パネル５４１０のサイズに合わせて、形状や寸法を適宜変更することができる。表示パネル５４１０を固定したハウジング５４００はプリント基板５４０１に嵌入されモジュールとして組み立てられる。
【０１４０】
表示パネル５４１０はＦＰＣ５４１１を介してプリント基板５４０１に接続される。プリント基板５４０１には、スピーカ５４０２、マイクロフォン５４０３、送受信回路５４０４、ＣＰＵ及びコントローラなどを含む信号処理回路５４０５が形成されている。このようなモジュールと、入力手段５４０６、バッテリ５４０７を組み合わせ、筐体５４０９及び５４１２に収納する。表示パネル５４１０の画素部は筐体５４１２に形成された開口窓から視認できように配置する。
【０１４１】
表示パネル５４１０は、画素部と一部の周辺駆動回路（複数の駆動回路のうち動作周波数の低い駆動回路）を基板上にＴＦＴを用いて一体形成し、一部の周辺駆動回路（複数の駆動回路のうち動作周波数の高い駆動回路）をＩＣチップ上に形成し、そのＩＣチップをＣＯＧ（Ｃｈｉｐ  Ｏｎ  Ｇｌａｓｓ）で表示パネル５４１０に実装しても良い。あるいは、そのＩＣチップをＴＡＢ（Ｔａｐｅ  Ａｕｔｏ  Ｂｏｎｄｉｎｇ）やプリント基板を用いてガラス基板上に形成された配線と接続してもよい。なお、一部の周辺駆動回路を基板上に画素部と一体形成し、他の周辺駆動回路を形成したＩＣチップをＣＯＧ等で実装した表示パネルの構成は図３０（ａ）に一例を示してある。なお、図３０（ａ）の表示パネルの構成は、基板５３００、信号線駆動回路５３０１、画素部５３０２、走査線駆動回路５３０３、走査線駆動回路５３０４、ＦＰＣ５３０５、ＩＣチップ５３０６、ＩＣチップ５３０７、封止基板５３０８、シール材５３０９を有する。このような構成とすることで、表示装置の低消費電力を図り、携帯電話機の一回の充電による使用時間を長くすることができる。また、携帯電話機の低コスト化を図ることができる。
【０１４２】
また、走査線や信号線に設定する信号をバッファによりインピーダンス変換することで、１行毎の画素の書き込み時間を短くすることができる。よって高精細な表示装置を提供することができる。
【０１４３】
また、さらに消費電力の低減を図るため、図３０（ｂ）に示すように基板上にＴＦＴを用いて画素部を形成し、全ての周辺駆動回路をＩＣチップ上に形成し、そのＩＣチップをＣＯＧ（Ｃｈｉｐ  Ｏｎ  Ｇｌａｓｓ）などで表示パネルに実装しても良い。なお、図３０（ｂ）の表示パネルの構成は、基板５３１０、信号線駆動回路５３１１、画素部５３１２、走査線駆動回路５３１３、走査線駆動回路５３１４、ＦＰＣ５３１５、ＩＣチップ５３１６、ＩＣチップ５３１７、封止基板５３１８、シール材５３１９を有する。
【０１４４】
そして、本発明の表示装置、およびその駆動法を用いることにより、疑似輪郭の低減された画像を表示することが出来る。よって、人間の肌のように、階調が微妙に変化するような画像であっても、疑似輪郭の低減された表示出来るようになる。
【０１４５】
また、本実施形態に示した構成は携帯電話の一例であって、本発明の表示装置はこのような構成の携帯電話に限られず様々な構成の携帯電話に適用することができる。
【０１４６】
（実施の形態８）
図３１は表示パネル５７０１と、回路基板５７０２を組み合わせたＥＬモジュールを示している。表示パネル５７０１は画素部５７０３、走査線駆動回路５７０４及び信号線駆動回路５７０５を有している。回路基板５７０２には、例えば、コントロール回路５７０６や信号分割回路５７０７などが形成されている。表示パネル５７０１と回路基板５７０２は接続配線５７０８によって接続されている。接続配線にはＦＰＣ等を用いることができる。
【０１４７】
コントロール回路５７０６が、実施の形態７における、コントローラ２７０８やメモリ２７０９やメモリ２７１０などに相当する。主に、コントロール回路５７０６において、サブフレームの出現順序などを制御している。
【０１４８】
表示パネル５７０１は、画素部と一部の周辺駆動回路（複数の駆動回路のうち動作周波数の低い駆動回路）を基板上にＴＦＴを用いて一体形成し、一部の周辺駆動回路（複数の駆動回路のうち動作周波数の高い駆動回路）をＩＣチップ上に形成し、そのＩＣチップをＣＯＧ（Ｃｈｉｐ  Ｏｎ  Ｇｌａｓｓ）などで表示パネル５７０１に実装するとよい。あるいは、そのＩＣチップをＴＡＢ（Ｔａｐｅ  Ａｕｔｏ  Ｂｏｎｄｉｎｇ）やプリント基板を用いて表示パネル５７０１に実装しても良い。なお、一部の周辺駆動回路を基板上に画素部と一体形成し、他の周辺駆動回路を形成したＩＣチップをＣＯＧ等で実装した構成は図３０（ａ）に一例を示してある。このような構成とすることで、表示装置の低消費電力を図り、携帯電話機の一回の充電による使用時間を長くすることができる。また、携帯電話機の低コスト化を図ることができる。
【０１４９】
また、走査線や信号線に設定する信号をバッファによりインピーダンス変換することで、１行毎の画素の書き込み時間を短くすることができる。よって高精細な表示装置を提供することができる。
【０１５０】
また、さらに消費電力の低減を図るため、ガラス基板上にＴＦＴを用いて画素部を形成し、全ての信号線駆動回路をＩＣチップ上に形成し、そのＩＣチップをＣＯＧ（Ｃｈｉｐ  Ｏｎ  Ｇｌａｓｓ）表示パネルに実装してもよい。
【０１５１】
なお、基板上にＴＦＴを用いて画素部を形成し、全ての周辺駆動回路をＩＣチップ上に形成し、そのＩＣチップをＣＯＧ（Ｃｈｉｐ  Ｏｎ  Ｇｌａｓｓ）で表示パネルに実装するとよい。なお、基板上に画素部を形成し、その基板上に信号線駆動回路を形成したＩＣチップをＣＯＧ等で実装した構成は図３０（ｂ）に一例を示してある。
【０１５２】
このＥＬモジュールによりＥＬテレビ受像機を完成させることができる。図３２は、ＥＬテレビ受像機の主要な構成を示すブロック図である。チューナ５８０１は映像信号と音声信号を受信する。映像信号は、映像信号増幅回路５８０２と、そこから出力される信号を赤、緑、青の各色に対応した色信号に変換する映像信号処理回路５８０３と、その映像信号を駆動回路の入力仕様に変換するためのコントロール回路５７０６により処理される。コントロール回路５７０６は、走査線側と信号線側にそれぞれ信号が出力する。デジタル駆動する場合には、信号線側に信号分割回路５７０７を設け、入力デジタル信号をｍ個に分割して供給する構成としても良い。
【０１５３】
チューナ５８０１で受信した信号のうち、音声信号は音声信号増幅回路５８０４に送られ、その出力は音声信号処理回路５８０５を経てスピーカー５８０６に供給される。制御回路５８０７は受信局（受信周波数）や音量の制御情報を入力部５８０８から受け、チューナ５８０１や音声信号処理回路５８０５に信号を送出する。
【０１５４】
ＥＬモジュールを筐体に組みこんで、テレビ受像機を完成させることができる。ＥＬモジュールにより、表示部が形成される。また、スピーカー、ビデオ入力端子などが適宜備えられている。
【０１５５】
勿論、本発明はテレビ受像機に限定されず、パーソナルコンピュータのモニタをはじめ、鉄道の駅や空港などにおける情報表示盤や、街頭における広告表示盤など特に大面積の表示媒体として様々な用途に適用することができる。
【０１５６】
このように、本発明の表示装置、およびその駆動法を用いることにより、疑似輪郭の低減された画像で見ることが出来る。よって、人間の肌のように、階調が微妙に変化するような画像であっても、疑似輪郭の低減された表示出来るようになる。
【０１５７】
（実施の形態９）
本発明を適用可能な電子機器として、デスクトップ、床置き、または壁掛け型ディスプレイ、ビデオカメラ、デジタルカメラ、ゴーグル型ディスプレイ（ヘッドマウントディスプレイ）、ナビゲーションシステム、音響再生装置（カーオーディオ、オーディオコンポ等）、コンピュータ、ゲーム機器、携帯情報端末（モバイルコンピュータ、携帯電話、携帯型ゲーム機または電子書籍等）、記録媒体を備えた画像再生装置（具体的にはＤｉｇｉｔａｌ  Ｖｅｒｓａｔｉｌｅ  Ｄｉｓｃ（ＤＶＤ）等の記録媒体に記録された映像や静止画を再生し、それを表示し得るディスプレイを備えた装置）などが挙げられる。それらの電子機器の具体例を図３３（Ａ）〜図３３（Ｈ）に示す。
【０１５８】
図３３（Ａ）はデスクトップ、床置き、または壁掛け型ディスプレイであり、筐体３０１、支持台３０２、表示部３０３、スピーカー部３０４、ビデオ入力端子３０５等を含む。本発明は表示部３０３を構成する表示装置に用いることができる。このようなディスプレイは、パーソナルコンピュータ用、ＴＶ放送受信用、広告表示用など任意の情報表示用表示装置として用いることができる。その結果、偽輪郭のない表示を行うことができるディスプレイを提供することができる。
【０１５９】
図３３（Ｂ）はデジタルカメラであり、本体３１１、表示部３１２、受像部３１３、操作キー３１４、外部接続ポート３１５、シャッター３１６等を含む。本発明は表示部３１２を構成する表示装置に用いることができる。その結果、偽輪郭のない表示を行うことができるデジタルカメラを提供することができる。
【０１６０】
図３３（Ｃ）はコンピュータであり、本体３２１、筐体３２２、表示部３２３、キーボード３２４、外部接続ポート３２５、ポインティングマウス３２６等を含む。本発明は表示部３２３を構成する表示装置に用いることができる。その結果、偽輪郭のない表示を行うことができるコンピュータを提供することができる。なおコンピュータには、中央演算装置（ＣＰＵ）、記録媒体等が搭載された所謂ノート型コンピュータ、別体化された所謂デスクトップ型コンピュータが含まれる。
【０１６１】
図３３（Ｄ）はモバイルコンピュータであり、本体３３１、表示部３３２、スイッチ３３３、操作キー３３４、赤外線ポート３３５等を含む。本発明は表示部３３２を構成する表示装置に用いることができる。その結果、偽輪郭のない表示を行うことができるモバイルコンピュータを提供することができる。
【０１６２】
図３３（Ｅ）は記録媒体を備えた携帯型の画像再生装置（具体的にはＤＶＤ再生装置）であり、本体３４１、筐体３４２、第１表示部３４３、第２表示部３４４、記録媒体（ＤＶＤ等）読み込み部３４５、操作キー３４６、スピーカー部３４７等を含む。第１表示部３４３は主として画像情報を表示し、第２表示部３４４は主として文字情報を表示するが、本発明は第１及び第２表示部３４３、３４４を構成する表示装置に用いることができる。その結果、偽輪郭のない表示を行うことができる画像再生装置を提供することができる。なお、記録媒体を備えた画像再生装置には家庭用ゲーム機器なども含まれる。
【０１６３】
図３３（Ｆ）はゴーグル型ディスプレイ（ヘッドマウントディスプレイ）であり、本体３５１、表示部３５２、アーム部３５３を含む。本発明は表示部３５２を構成する表示装置に用いることができる。その結果、偽輪郭のない表示を行うことができるゴーグル型ディスプレイを提供することができる。
【０１６４】
図３３（Ｇ）はビデオカメラであり、本体３６１、表示部３６２、筐体３６３、外部接続ポート３６４、リモコン受信部３６５、受像部３６６、バッテリー３６７、音声入力部３６８、操作キー３６９等を含む。本発明は表示部３６２を構成する表示装置に用いることができる。その結果、偽輪郭のない表示を行うことができるビデオカメラを提供することができる。
【０１６５】
図３３（Ｈ）は携帯電話機であり、本体３７１、筐体３７２、表示部３７３、音声入力部３７４、音声出力部３７５、操作キー３７６、外部接続ポート３７７、アンテナ３７８等を含む。本発明は表示部３７３を構成する表示装置に用いることができる。その結果、偽輪郭のない表示を行うことができる携帯電話機を提供することができる。
【０１６６】
上記したような電子機器の表示部は、例えば各画素にＬＥＤや有機ＥＬなどの発光素子を用いた自発光型とすることも、或いは、液晶ディスプレイのようにバックライトなど別の光源を用いたものとすることもできるが、自発光型の場合、バックライトが必要なく、液晶ディスプレイよりも薄い表示部とすることができる。
【０１６７】
また、上記電子機器はインターネットやＣＡＴＶ（ケーブルテレビ）などの電子通信回線を通じて配信された情報を表示する場合、又はＴＶ受像器として用いられる場合が多くなり、特に動画情報を表示する機会が増してきている。表示部が自発光型の場合、有機ＥＬ等の発光材料の応答速度は液晶に比べて非常に速いため、そのような動画表示に好適である。また、時間分割駆動を行う上でも好ましい。発光材料の発光輝度を高くすれば、出力した画像情報を含む光をレンズ等で拡大投影してフロント型若しくはリア型のプロジェクターに用いることが可能となる。
【０１６８】
自発光型の表示部では発光している部分が電力を消費するため、発光部分が極力少なくなるように情報を表示することが望ましい。従って、携帯情報端末、特に携帯電話や音響再生装置のような文字情報を主とする表示部を自発光型とする場合には、非発光部分を背景として文字情報を発光部分で形成するように駆動することが望ましい。
【０１６９】
以上の様に、本発明の適用範囲は極めて広く、あらゆる分野の電子機器に用いることが可能である。
【図面の簡単な説明】
【０１７０】
【図１】本発明の実施形態に基づく表示装置の駆動方法を説明する図。
【図２】本発明の実施形態に基づく表示装置の駆動方法を説明する図。
【図３】本発明の実施形態に基づく表示装置の駆動方法を説明する図。
【図４】本発明の実施形態に基づく表示装置の駆動方法を説明する図。
【図５】本発明の実施形態に基づく表示装置の駆動方法を説明する図。
【図６】本発明の実施形態に基づく表示装置の駆動方法を説明する図。
【図７】本発明の実施形態に基づく表示装置の駆動方法を説明する図。
【図８】本発明の実施形態に基づく表示装置の駆動方法を説明する図。
【図９】本発明の実施形態に基づく表示装置の駆動方法を説明する図。
【図１０】本発明の実施形態に基づく表示装置の駆動方法を説明する図。
【図１１】本発明の実施形態に基づく表示装置の駆動方法を説明する図。
【図１２】本発明の実施形態に基づく表示装置の駆動方法を説明する図。
【図１３】本発明の実施形態に基づく表示装置の駆動方法を説明する図。
【図１４】本発明の実施形態に基づく表示装置の駆動方法を説明する図。
【図１５】本発明の表示装置の駆動方法の構成を説明する図。
【図１６】本発明の表示装置の駆動方法の構成を説明する図。
【図１７】本発明の表示装置の構成を説明する図。
【図１８】本発明の表示装置の駆動方法の構成を説明する図。
【図１９】本発明の表示装置の構成を説明する図。
【図２０】本発明の表示装置の駆動方法の構成を説明する図。
【図２１】本発明の表示装置の駆動方法の構成を説明する図。
【図２２】本発明の表示装置の構成を説明する図。
【図２３】本発明の表示装置の構成を説明する図。
【図２４】本発明の表示装置の構成を説明する図。
【図２５】本発明の表示装置の構成を説明する図。
【図２６】本発明の表示装置の構成を説明する図。
【図２７】本発明の表示装置の構成を説明する図。
【図２８】本発明の表示装置の構成を説明する図。
【図２９】本発明が適用される電子機器を説明する図。
【図３０】本発明の表示装置の構成を説明する図。
【図３１】本発明が適用される電子機器を説明する図。
【図３２】本発明の表示装置の構成を説明する図。
【図３３】本発明が適用される電子機器を説明する図。
【図３４】従来の表示装置の駆動方法の構成を説明する図。
【図３５】従来の表示装置の駆動方法を説明する図。
【図３６】従来の表示装置の駆動方法の別の例を説明する図。
【符号の説明】
【０１７１】
３０１  筐体
３２２  筐体
３４２  筐体
３６３  筐体
３７２  筐体
１６０１  選択トランジスタ
１６０２  保持容量
１６０３  駆動トランジスタ
１６０４  表示素子
１６０５  信号線
１６０６  第１電源線
１６０７  ゲート線
１６０８  第２電源線
１８０１  第１選択トランジスタ
１８０２  保持容量
１８０３  駆動トランジスタ
１８０４  表示素子
１８０５  第１信号線
１８０６  第１電源線
１８０７  第１ゲート線
１８０８  第２電源線
１８１１  第２選択トランジスタ
１８１５  第２信号線
１８１７  第２ゲート線
２１０１  選択トランジスタ
２１０２  保持容量
２１０３  駆動トランジスタ
２１０３  駆動トランジスタ
２１０４  表示素子
２１０５  信号線
２１０６  第１電源線
２１０７  第１ゲート線
２１０８  第２電源線
２１１１  消去トランジスタ
２１１７  第２ゲート線
２２０１  選択トランジスタ
２２０２  保持容量
２２０３  駆動トランジスタ
２２０４  表示素子
２２０５  信号線
２２０６  第１電源線
２２０７  第１ゲート線
２２０８  第２電源線
２２１１  消去ダイオード
２２１７  第２ゲート線
２３１１  トランジスタ
２４０１  画素配列
２４０２  ゲート線駆動回路
２４０８  ビデオ信号線
２４１０  信号線駆動回路
２５０８  ビデオ信号線
２５１０  信号線駆動回路
２６０１  選択トランジスタ
２６０２  保持容量
２６０３  駆動トランジスタ
２６０４  表示素子
２６０５  信号線
２６０６  電源線
２６１１  消去トランジスタ
２６１７  第２ゲート線
２７０１  基板
２７０２  周辺回路基板
２７０４  画素配列
２７０５  ゲート線駆動回路
２７０６  信号線駆動回路
２７０７  接続基板
２７０８  コントローラ
２７０９  メモリ
２７１０  メモリ
５３００  基板
５３０１  信号線駆動回路
５３０２  画素部
５３０３  走査線駆動回路
５３０４  走査線駆動回路
５３０５  ＦＰＣ
５３０６  ＩＣチップ
５３０７  ＩＣチップ
５３０８  封止基板
５３０９  シール材
５３１０  基板
５３１１  信号線駆動回路
５３１２  画素部
５３１３  走査線駆動回路
５３１４  走査線駆動回路
５３１５  ＦＰＣ
５３１６  ＩＣチップ
５３１７  ＩＣチップ
５３１８  封止基板
５３１９  シール材
５４００  ハウジング
５４０１  プリント基板
５４０２  スピーカ
５４０３  マイクロフォン
５４０４  送受信回路
５４０５  信号処理回路
５４０６  入力手段
５４０７  バッテリ
５４０９  筐体
５４１０  表示パネル
５４１１  ＦＰＣ
５４１２  筐体
５７０１  表示パネル
５７０２  回路基板
５７０３  画素部
５７０４  走査線駆動回路
５７０５  信号線駆動回路
５７０６  コントロール回路
５７０７  信号分割回路
５７０８  接続配線
５８０２  映像信号増幅回路
５８０３  映像信号処理回路
５８０４  音声信号増幅回路
５８０５  音声信号処理回路
【図１】
0005498648.tif 000002
【図２】
0005498648.tif 000003
【図３】
0005498648.tif 000004
【図４】
0005498648.tif 000005
【図５】
0005498648.tif 000006
【図６】
0005498648.tif 000007
【図７】
0005498648.tif 000008
【図８】
0005498648.tif 000009
【図９】
0005498648.tif 000010
【図１０】
0005498648.tif 000011
【図１１】
0005498648.tif 000012
【図１２】
0005498648.tif 000013
【図１３】
0005498648.tif 000014
【図１４】
0005498648.tif 000015
【図１５】
0005498648.tif 000016
【図１６】
0005498648.tif 000017
【図１７】
0005498648.tif 000018
【図１８】
0005498648.tif 000019
【図１９】
0005498648.tif 000020
【図２０】
0005498648.tif 000021
【図２１】
0005498648.tif 000022
【図２２】
0005498648.tif 000023
【図２３】
0005498648.tif 000024
【図２４】
0005498648.tif 000025
【図２５】
0005498648.tif 000026
【図２６】
0005498648.tif 000027
【図２７】
0005498648.tif 000028
【図２８】
0005498648.tif 000029
【図２９】
0005498648.tif 000030
【図３０】
0005498648.tif 000031
【図３１】
0005498648.tif 000032
【図３２】
0005498648.tif 000033
【図３３】
0005498648.tif 000034
【図３４】
0005498648.tif 000035
【図３５】
0005498648.tif 000036
【図３６】
0005498648.tif 000037